(57)【特許請求の範囲】
【請求項１】
表示機能を有する電子機器と通信接続可能なデータ処理装置であって、
電子機器との通信接続の際は、その電子機器に表示される情報の属性情報を取得する取得手段と、
前記電子機器と当該データ処理装置との通信接続が行われていない場合での当該電子機器での表示動作を制御する動作制御情報を、前記取得手段で取得した属性情報に基づいて特定する特定手段と、
前記特定手段で特定された動作制御情報を前記電子機器に対して送信して設定させることで、当該電子機器が当該データ処理装置と通信接続されていない場合での動作を当該動作制御情報に基づいて制御させる制御手段と、
を具備し、
前記特定手段は、表示情報の複数種の属性情報別に電子機器の表示動作を制御する動作制御情報を記憶する記憶手段を参照することで、前記取得手段で取得した属性情報に対応する動作制御情報が存在すれば、その動作制御情報を特定する、
ことを特徴とするデータ処理装置。
【請求項２】
前記特定手段は、前記取得手段で取得した属性情報を、前記記憶手段を管理する管理装置へ送信することで、その属性情報に対応する種類の動作制御情報を前記管理装置から受信することで特定し、
前記制御手段は、前記動作制御情報を当該データ処理装置に接続される前記電子機器に対して送信することで、当該動作制御情報を当該電子機器に設定させる、
ことを特徴とする請求項１に記載のデータ処理装置。
【請求項３】
表示機能を有する電子機器と通信接続可能なデータ処理装置であって、
電子機器との通信接続の際は、新たな通信接続を検出した前記電子機器に表示情報が既に表示されているか否かを判別し、既に表示情報が表示されている場合には、その電子機器に表示される情報の属性情報を取得する取得手段と、
前記電子機器と当該データ処理装置との通信接続が行われていない場合での当該電子機器での表示動作を制御する動作制御情報を、前記取得手段で取得した属性情報に基づいて特定する特定手段と、
前記特定手段で特定された動作制御情報を前記電子機器に対して送信して設定させることで、当該電子機器が当該データ処理装置と通信接続されていない場合での動作を当該動作制御情報に基づいて制御させる制御手段と、
を具備したことを特徴とするデータ処理装置。
【請求項４】
表示機能を有する電子機器と通信接続可能なデータ処理装置のコンピュータを制御するためのプログラムであって、
前記コンピュータを、
電子機器との通信接続の際は、その電子機器に表示される情報の属性情報を取得する取得手段、
前記電子機器と当該データ処理装置との通信接続が行われていない場合での当該電子機器での表示動作を制御する動作制御情報を、前記取得手段で取得した属性情報に基づいて特定する特定手段、
前記特定手段で特定された動作制御情報を前記電子機器に対して送信して設定させることで、当該電子機器が当該データ処理装置と通信接続されていない場合での動作を当該動作制御情報に基づいて制御させる制御手段、
として機能させ、
前記特定手段は、表示情報の複数種の属性情報別に電子機器の表示動作を制御する動作制御情報を記憶する記憶手段を参照することで、前記取得手段で取得した属性情報に対応する動作制御情報が存在すれば、その動作制御情報を特定する、
ことを特徴とするプログラム。
【請求項５】
表示機能を有する電子機器と通信接続可能なデータ処理装置のコンピュータを制御するためのプログラムであって、
前記コンピュータを、
電子機器との通信接続の際は、新たな通信接続を検出した前記電子機器に表示情報が既に表示されているか否かを判別し、既に表示情報が表示されている場合には、その電子機器に表示される情報の属性情報を取得する取得手段、
前記電子機器と当該データ処理装置との通信接続が行われていない場合での当該電子機器での表示動作を制御する動作制御情報を、前記取得手段で取得した属性情報に基づいて特定する特定手段、
前記特定手段で特定された動作制御情報を前記電子機器に対して送信して設定させることで、当該電子機器が当該データ処理装置と通信接続されていない場合での動作を当該動作制御情報に基づいて制御させる制御手段、
として機能させるためのプログラム。
【発明の詳細な説明】
【技術分野】
【０００１】
本発明は、データ処理装置に関する。
【背景技術】
【０００２】
近年、電子ペーパと称される紙状の不揮発性表示装置が開発されている。この電子ペーパは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる。
【０００３】
出願人は、電子ペーパを電子下敷に載せて手書き記入することで電子ペーパ上に手書き内容を表示できるようにした電子ペーパ記録装置の特許出願を行った（例えば、特許文献１参照。）。
【０００４】
この電子ペーパ記録装置では、電子下敷と電子ペーパとの組合せをシンクライアントとしたサーバクライアントシステムにおいて、サーバには、当該電子下敷と電子ペーパとの組合せに対応したデフォルトの画面データが予め生成されて記憶されており（仮想ペーパクライアント）、電子下敷に電子ペーパを載せることでその組合せに対応する画面データを読み出して表示できる。そして、電子ペーパの画面データ上で手書き記入を行った場合には、その画面データ上に手書き軌跡を追記して表示させ、前記サーバ上の画面データを、当該追記データを含めた画面データに更新して記憶できる。
【０００５】
このような従来の電子ペーパ記録装置は、電子下敷に載せた電子ペーパに対してどのようなデータを表示させるかを制御するのみである。このため、電子ペーパが電子下敷から外された場合、すなわち、データが表示された電子ペーパを単独にした場合に、その電子ペーパに表示されるデータの表示態様、すなわち、その表示データをそのまま表示させておくのか、あるいは表示させないようにするのかを、電子下敷側からは制御できない。
【０００６】
従来の電子ペーパであって、正しいキーデータを持つキーユニットの接続、あるいは正しいキーデータの入力により電子ペーパをマスク表示（非表示）から表示に変更する。更に前記キーユニットの接続中でも所定時間の経過でマスク表示に戻す。これにより、機密の画面データを必要に応じて表示と非表示とで選択して保護することが考えられている（例えば、特許文献２参照。）。
【先行技術文献】
【特許文献】
【０００７】
【特許文献１】特開２００７−３２３３６５号公報
【特許文献２】特開２００９−１５７０３６号公報
【発明の概要】
【発明が解決しようとする課題】
【０００８】
前記従来の電子ペーパでは、キーユニットの接続、あるいはキーデータの入力により画面データをマスク表示（非表示）から表示に変更したり、所定時間の経過でマスク表示に戻したりすることができる。
【０００９】
しかしながら、これらの制御は、全て電子ペーパ側での設定に依存しているものであり、電子ペーパにデータを表示させる電子下敷側の制御に基づき、電子ペーパが外された後の当該電子ペーパにおけるデータの表示態様を設定することはできない。
【００１０】
このため従来は、複数の電子ペーパ（電子表示媒体）の各々単独において、当該電子ペーパに記憶されているデータの表示／非表示や所定時間後非表示等について設定する必要があり、取扱いが面倒な不具合がある。
【００１１】
本発明は、データ処理装置と通信接続された電子機器に対して、当該データ処理装置と通信接続されない場合での動作内容を設定することが可能になることを目的とする。
【課題を解決するための手段】
【００１２】
請求項１は、表示機能を有する電子機器と通信接続可能なデータ処理装置であって、電子機器との通信接続の際は、その電子機器に表示される情報の属性情報を取得する取得手段と、前記電子機器と当該データ処理装置との通信接続が行われていない場合での当該電子機器での表示動作を制御する動作制御情報を、前記取得手段で取得した属性情報に基づいて特定する特定手段と、前記特定手段で特定された動作制御情報を前記電子機器に対して送信して設定させることで、当該電子機器が当該データ処理装置と通信接続されていない場合での動作を当該動作制御情報に基づいて制御させる制御手段と、を具備し、前記特定手段は、表示情報の複数種の属性情報別に電子機器の表示動作を制御する動作制御情報を記憶する記憶手段を参照することで、前記取得手段で取得した属性情報に対応する動作制御情報が存在すれば、その動作制御情報を特定する、ことを特徴とする。
請求項３は、表示機能を有する電子機器と通信接続可能なデータ処理装置であって、電子機器との通信接続の際は、新たな通信接続を検出した前記電子機器に表示情報が既に表示されているか否かを判別し、既に表示情報が表示されている場合には、その電子機器に表示される情報の属性情報を取得する取得手段と、前記電子機器と当該データ処理装置との通信接続が行われていない場合での当該電子機器での表示動作を制御する動作制御情報を、前記取得手段で取得した属性情報に基づいて特定する特定手段と、前記特定手段で特定された動作制御情報を前記電子機器に対して送信して設定させることで、当該電子機器が当該データ処理装置と通信接続されていない場合での動作を当該動作制御情報に基づいて制御させる制御手段と、を具備したことを特徴とする。
【発明の効果】
【００１４】
本発明によれば、データ処理装置と通信接続された電子機器に対して、当該データ処理装置と通信接続されない場合での動作内容を設定することが可能になる。
【図面の簡単な説明】
【００１５】
【図１】本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図６】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図７】前記電子ペーパ記録装置１０Ａ，１０ＢをネットワークＮ上のクラウドコンピューティングシステムの端末として組み込んだ場合の電子回路の構成を示すブロック図。
【図８】前記電子ペーパ記録装置１０Ａ，１０Ｂの第１実施形態の電子下敷１２Ｂ（１２Ａ）の情報記憶装置３０にて記憶管理される電子ペーパ管理テーブル（下敷）５４の内容を示す図。
【図９】前記電子ペーパ記録装置１０Ｂを端末としネットワーク（インターネット）Ｎ上の電子ペーパ管理サーバ５３にウェブアクセスベースで接続して使用する場合の構成例を示すブロック図。
【図１０】前記電子ペーパ管理サーバ５３の電子ペーパ管理部５８ｂにて記憶管理される電子ペーパ管理テーブル（サーバ）６２の内容を示す図。
【図１１】前記電子ペーパ記録装置（両面タイプ）１０Ｂの電子ペーパ１１Ｂにて記憶管理される表示コンテンツ記憶部２１Ｈの内容を示す図。
【図１２】前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャート。
【図１３】前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャート。
【図１４】前記電子ペーパ記録装置１０Ａ，１０Ｂを端末として組み込んだクラウドコンピューティングシステムにおける第１実施形態の電子ペーパ管理サーバ５３での処理を示すフローチャート。
【図１５】前記電子ペーパ記録装置１０Ａ，１０Ｂを端末として組み込んだクラウドコンピューティングシステムにおける第１実施形態の電子ペーパ１１Ａ，１１Ｂでの処理を示すフローチャート。
【図１６】前記電子ペーパ記録装置１０Ａ，１０Ｂの第２実施形態の電子下敷１２Ｂ（１２Ａ）の情報記憶装置３０にて記憶管理される電子ペーパ管理テーブル（下敷）５４ａの内容を示す図。
【図１７】前記電子ペーパ管理サーバ５３の第２実施形態の電子ペーパ管理部５８ｂにて記憶管理される表示態様制御情報管理テーブル（サーバ）６２ａの内容を示す図。
【図１８】前記電子ペーパ記録装置（両面タイプ）１０Ｂの電子ペーパ１１Ｂにて記憶管理される第２実施形態の表示コンテンツ記憶部２１Ｈａの内容を示す図。
【図１９】前記電子ペーパ記録装置１０Ａ，１０Ｂを端末として組み込んだクラウドコンピューティングシステムにおける第２実施形態の電子下敷１２Ａ，１２Ｂでの処理（その２）を示すフローチャート。
【図２０】前記電子ペーパ記録装置１０Ａ，１０Ｂを端末として組み込んだクラウドコンピューティングシステムにおける第２実施形態の電子ペーパ管理サーバ５３での処理を示すフローチャート。
【図２１】前記電子ペーパ記録装置１０Ａ，１０Ｂの第３実施形態の電子下敷１２Ｂ（１２Ａ）の情報記憶装置３０にて記憶管理される電子ペーパ管理テーブル（下敷）５４ｂの内容を示す図。
【図２２】前記電子ペーパ管理サーバ５３の電子ペーパ管理部５８ｂにて記憶管理される第３実施形態の電子ペーパ管理テーブル（サーバ）６２ｂの内容を示す図。
【図２３】前記電子ペーパ記録装置（両面タイプ）１０Ｂの電子ペーパ１１Ｂにて記憶管理される第３実施形態の表示コンテンツ記憶部２１Ｈｂの内容を示す図。
【図２４】前記電子ペーパ記録装置１０Ａ，１０Ｂを端末として組み込んだクラウドコンピューティングシステムにおける第３実施形態の電子下敷１２Ａ，１２Ｂでの処理（その１）を示すフローチャート。
【図２５】前記電子ペーパ記録装置１０Ａ，１０Ｂを端末として組み込んだクラウドコンピューティングシステムにおける第３実施形態の電子下敷１２Ａ，１２Ｂでの処理（その２）を示すフローチャート。
【図２６】前記電子ペーパ記録装置１０Ａ，１０Ｂを端末として組み込んだクラウドコンピューティングシステムにおける第３実施形態の電子ペーパ管理サーバ５３での処理を示すフローチャート。
【発明を実施するための形態】
【００１６】
以下図面により本発明の実施の形態について説明する。
【００１７】
（第１実施形態）
図１は、本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１８】
この電子ペーパ記録装置（片面タイプ）１０Ａは、その表面に不揮発性表示装置１７を有する複数枚の電子ペーパ［電子表示媒体］（片面タイプ）１１Ａ…と、この複数枚の電子ペーパ１１Ａ…を重ねて載置する電子下敷［電子処理装置］（片面タイプ）１２Ａとを備え、各電子ペーパ１１Ａ…は電子下敷１２Ａの左側中央に設けられた片面バインダ部１３にその左辺中央を挟み込ませて綴じられる。
【００１９】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図６参照）を介して電子ペーパ１１Ａに内蔵された表示用の記憶装置に対し前記手書き位置の検出座標に対応した表示データ、あるいは外部の情報提供装置から取得された各種コンテンツの表示データを記憶させ、電子ペーパ１１Ａの不揮発性表示装置１７を表示動作させる。
【００２０】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００２１】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００２２】
電子ペーパ１１Ａを電子下敷１２Ａから取り外した後の不揮発性表示装置１７に対する表示データの表示動作は、電子下敷１２Ａとの接続中に当該電子下敷１２Ａから設定される表示条件（指定時間、指定場所）および表示態様（表示、非表示、所定時間後非表示等）に応じて制御される。
【００２３】
図２は、本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００２４】
この電子ペーパ記録装置（両面タイプ）１０Ｂで使用する複数枚の電子ペーパ［電子表示媒体］（両面タイプ）１１Ｂ…は、その表面と裏面との両面にそれぞれ前述の不揮発性表示装置１７Ｒ，１７Ｌを有し、見開き型電子下敷［電子処理装置］１２Ｂの中央に設けられた見開きバインダ部１６によってそれぞれその一端部が貫通されて綴じられる。
【００２５】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図６参照）を介して電子ペーパ１１Ｂに内蔵された表示用の記憶装置に対し前記表面と裏面の各手書き位置の検出座標に対応した表示データ、あるいは外部の情報提供装置から取得された各種コンテンツの表示データを記憶させ、電子ペーパ１１Ｂをその両面の不揮発性表示装置１７Ｒ，１７Ｌで表示動作させる。
【００２６】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２７】
電子ペーパ１１Ｂを電子下敷１２Ｂから取り外した後の不揮発性表示装置１７Ｒ，１７Ｌに対する表示データの表示動作は、電子下敷１２Ｂとの接続中に当該電子下敷１２Ｂから設定される表示条件（指定時間、指定場所）および表示態様（表示、非表示、所定時間後非表示等）に応じて制御される。
【００２８】
図３は、前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２９】
なお、表側から見た電子ペーパ（片面タイプ）１１Ａの構成と電子ペーパ（両面タイプ）１１Ｂの構成とは同じである。
【００３０】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１、年月日時刻を計時する計時部６５、特定のエリア（例えば社内、校内等）において送信されているエリア信号を受信する受信部６６が表裏共用として内蔵される。
【００３１】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００３２】
前記電磁誘導電源部２２は、非接触給電される電源電圧を蓄電するバッテリとしての機能も有する。
【００３３】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００３４】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ２６ａ〜２６ｄが表裏共用として内蔵される。
【００３５】
図４は、前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００３６】
なお、正面から見た電子下敷（片面タイプ）１２Ａの構成と見開き型電子下敷１２Ｂの右面を見た構成とは同じである。
【００３７】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３８】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３９】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００４０】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００４１】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００４２】
図５は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００４３】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００４４】
なお、図５（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図５（Ａ１）において４２はバインダ部１３の綴じ込み力を有するヒンジである。
【００４５】
すなわち、電子ペーパ（片面タイプ）１１Ａ…の綴じ込み部１８にペーパ内コア４０…を設けた場合には、設けない場合に較べて、下敷側コア３９との間で当該ペーパ内コア４０…を介し磁気抵抗が低くなり漏れ磁束少なく磁束ループがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００４６】
図６は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４７】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図６（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４８】
また、図６（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図６（Ｂ）において４４は見開きバインダ部１６（３９ｂ）の綴じ込み力を有するヒンジである。
【００４９】
なお、図６で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００５０】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００５１】
一方、電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００５２】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００５３】
これにより、電子ペーパ１１Ａ（１１Ｂ）上での電子ペン１５での書き込み作業に伴い電子下敷１２Ａ（１２Ｂ）のタブレット１４によって検出される座標位置は、前記計算検出された電子ペーパ１１Ａ（１１Ｂ）の規定の載置位置からの位置ずれ量に応じて補正され、この補正後の書き込み座標位置に従って電子ペーパ１１Ａ（１１Ｂ）の通信部２３から（情報）記憶装置２１に対し書き込み軌跡の表示データが記憶され、不揮発性表示装置１７での手書きデータの表示が行われる。
【００５４】
また、例えば、電子下敷（両面タイプ）１２Ｂの左面のタブレット１４Ｌ上に１枚の電子ペーパ１１Ｂ（Ａ）が開かれ、また右面のタブレット１４Ｒ上には２枚の電子ペーパ１１Ｂが（Ｃ）→（Ｂ）の順に重ねられている状態では、左面のタブレット１４Ｌ上にある電子ペーパ１１Ｂ（Ａ）の裏面側重なり検出センサ２５Ｌに受光が検出され「重なり無し」と判別されると共に、キャリブレーションポインタ２６ａ〜２６ｄによってその座標位置がタブレット１４Ｌに検出されるので、当該電子ペーパ１１Ｂ（Ａ）は電子下敷（両面タイプ）１２Ｂの左面上で有効（アクティブ）と判別される。
【００５５】
また、右面のタブレット１４Ｒ上に重ねてある２枚の電子ペーパ１１Ｂ（Ｃ）（Ｂ）については、何れの電子ペーパ１１Ｂ（Ｃ）（Ｂ）もそのキャリブレーションポインタ２６ａ〜２６ｄによってタブレット１４Ｒに検出される一方で、電子ペーパ１１Ｂ（Ｂ）の表側重なり検出センサ２５Ｒにだけ受光が検出されて「重なり無し」と判別されるので、当該電子ペーパ１１Ｂ（Ｂ）は電子下敷（両面タイプ）１２Ｂの右面上で有効（アクティブ）と判別される。
【００５６】
なお、中立している電子ペーパ１１Ｂがある場合、表裏面側重なり検出センサ２５Ｒ，２５Ｌに受光が検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該中立の電子ペーパ１１Ｂは無効（非アクティブ）と判別される。
【００５７】
従って、電子下敷１２Ｂの制御装置２８では、その電磁誘導部を介して非接触で通信接続されている各電子ペーパ１１Ｂ…それぞれのＩＤ（Ａ）（Ｂ）（Ｃ）…に対応付けて、その表裏の重なり検出センサ２５Ｒ，２５Ｌによる重なり有無検出、キャリブレーションポインタ２６ａ〜２６ｄによるアクティブ有無検出、各ペーパサイズなどを収集管理することで、左右それぞれのタブレット１４Ｌ，１４Ｒ上にある有効（アクティブ）な電子ペーパ１１Ｂを判別でき、外部接続される情報端末から取得した各種コンテンツの表示データや前記左右のタブレット１４Ｌ，１４Ｒにて検出された電子ペン１５による手書きデータ、あるいは入力装置３１Ｌ，３１Ｒから入力された文字データ等を、前記電磁誘導部を介してその有効（アクティブ）な電子ペーパ１１ＢのＩＤを有する不揮発性表示装置１７Ｌ，１７Ｒに表示させることができる。
【００５８】
図７は、前記電子ペーパ記録装置１０Ａ，１０ＢをネットワークＮ上のクラウドコンピューティングシステムの端末として組み込んだ場合の電子回路の構成を示すブロック図である。
【００５９】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができ、またその表示データを、ネットワークＮ上の電子ペーパ管理サーバ５３により、ペーパＩＤや下敷ＩＤと対応付けて登録し管理することができる。
【００６０】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄ、計時部６５、受信部６６が接続される。
【００６１】
電子下敷１２Ｂ（１２Ａ）の電子回路は、前記図４を参照して説明したように、例えばフレキシブルＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００６２】
前記電子ペーパ１１Ａ（１１Ｂ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパ１１Ａ（１１Ｂ）…の電磁誘導電源部２２に電磁接続され、また電子下敷１２Ｂ（１２Ａ）の通信装置３７Ｒ，３７Ｌ（３７）が電子ペーパ１１Ａ（１１Ｂ）…の通信装置２３に電磁接続される。
【００６３】
そして、電子ペーパ１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ａ（１１Ｂ）…の載置位置が検出される。
【００６４】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００６５】
電子ペーパ１１Ａ（１１Ｂ）が電子下敷１２Ｂ（１２Ａ）から外された無給電状態で必要になる動作電圧は、電磁誘導電源部２２に付属される蓄電機能によって賄われる。
【００６６】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータを不揮発性表示装置１７（１７Ｒ，１７Ｌ）に表示させるための表示データ、さらには電子下敷１２Ｂ（１２Ａ）から外された後に各種のデータの表示動作を制御するための表示態様制御情報［表示条件（指定時間、指定場所）および表示態様（表示、非表示、所定時間後非表示等）からなる］なども記憶される。
【００６７】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ａ（１１Ｂ）…を管理するための管理情報（図８参照）の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続された情報提供サーバ５３Ｗ…や電子ペーパ管理サーバ５３からのテキスト・画像などの各種コンテンツの入力に応じたデータを現在有効（アクティブ）な電子ペーパ１１Ａ（１１Ｂ）へ送信して表示させるための表示データなども一時記憶される。
【００６８】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータをＬＣＤ表示装置４６にて表示できる。
【００６９】
ここで、前記電子下敷１２Ａ（１２Ｂ）の外部接続装置３３に外部接続されるネットワークＮ上の情報提供サーバ５３Ｗ…や電子ペーパ管理サーバ５３は、当該外部接続装置３３との有線通信又は無線通信により接続されるＰＣや携帯電話などの通信端末装置６１を中継して接続する構成としても良いし、直接接続する構成としても良い。
【００７０】
図８は、前記電子ペーパ記録装置１０Ａ，１０Ｂの第１実施形態の電子下敷１２Ｂ（１２Ａ）の情報記憶装置３０にて記憶管理される電子ペーパ管理テーブル（下敷）５４の内容を示す図である。
【００７１】
この電子ペーパ管理テーブル（下敷）５４には、電子下敷１２Ｂ（１２Ａ）のバインダ部１６（１３）に電子ペーパ１１Ａ（１１Ｂ）…が綴じられてタブレット１４Ｒ，１４Ｌ（１４）上に載置された際に、当該電子ペーパ１１Ａ（１１Ｂ）…のそれぞれから通信受信される各電子ペーパ１１Ａ（１１Ｂ）…の固有情報（電子ペーパＩＤ・表裏コード・サイズ）に対応付けられて、重なり検出センサ２５（２５Ｒ，２５Ｌ）による重なり検出情報と、各電子ペーパ１１Ａ（１１Ｂ）…のキャリブレーションポインタ２６ａ〜２６ｄの位置がタブレット１４Ｒ，１４Ｌ（１４）により座標検出されることによって認識される手書き位置の補正情報、および前記重なり検出情報を加えて判別されるアクティブ（有効）情報が記憶されると共に、各電子ペーパ１１Ａ（１１Ｂ）の表裏それぞれに表示されている表示情報（表示データのコンテンツＩＤ・手書きデータとその位置）も記憶される。
【００７２】
また、この電子ペーパ管理テーブル（下敷）５４には、装着中の各電子ペーパ１１Ａ（１１Ｂ）…のペーパＩＤに対応付けられて、電子ペーパ管理サーバ５３の電子ペーパ管理テーブル６２（図１０参照）から読み出された表示態様制御情報（表示条件および表示態様）も一時記憶される。
【００７３】
そして、電子ペーパ管理テーブル（下敷）５４に記憶される各種の情報のうち、前記重なり検出情報、手書き位置の補正情報、アクティブ（有効）情報については、リアルタイムに更新されて記憶される。
【００７４】
よって、この電子ペーパ管理テーブル５４に従って、電子下敷１２Ｂ（１２Ａ）の右面と左面とにおける現在有効（アクティブ）な電子ペーパ１１Ａ（１１Ｂ）を認識し、当該有効（アクティブ）な電子ペーパＩＤに基づいた操作信号の入力処理および表示データの表示処理、表示態様制御情報の読み出し処理、登録処理を実行する。
【００７５】
図９は、前記電子ペーパ記録装置１０Ｂを端末としネットワーク（インターネット）Ｎ上の電子ペーパ管理サーバ５３にウェブアクセスベースで接続して使用する場合の構成例を示すブロック図である。
【００７６】
電子ペーパ管理サーバ５３は、コンピュータであるＣＰＵからなる制御装置５６を備え、この制御装置５６を中心にして入力装置５７、記憶装置５８、表示装置５９が接続され、またネットワーク（インターネット）Ｎ上の端末（電子ペーパ記録装置１０Ｂ）と、ＰＣや携帯電話などの通信端末装置６１を介して、あるいは直接的に通信接続するための通信装置６０が接続される。
【００７７】
前記電子ペーパ管理サーバ５３の記憶装置５８には、電子ペーパ管理プログラム等の種々の制御情報を記憶管理するための情報管理部５８ａをはじめ、各端末（電子ペーパ記録装置１０Ｂ…）からの要求に応じて登録または配信すべきコンテンツ、表示態様制御情報などの情報をペーパＩＤに対応付けて記憶管理するための電子ペーパ管理部５８ｂが確保される。
【００７８】
図１０は、前記電子ペーパ管理サーバ５３の電子ペーパ管理部５８ｂにて記憶管理される電子ペーパ管理テーブル（サーバ）６２の内容を示す図である。
【００７９】
この電子ペーパ管理テーブル（サーバ）６２には、ログインされた端末（電子ペーパ記録装置１０Ｂ）からの受信に応じて、当該受信された端末からの電子ペーパＩＤおよびその表裏コードとアクティブ（有効）情報、表裏それぞれの表示情報（コンテンツＩＤ・コンテンツ表示データ）、そして電子ペーパ１１Ｂ…毎に設定されているペーパ単独時の表示態様制御情報（表示条件および表示態様からなる）が対応付けられて記憶される。
【００８０】
本第１実施形態のペーパ単独時の表示態様制御情報について、具体的に、電子ペーパ（ＩＤ：Ａ）１１Ｂに対しては、表示条件（時間；９：００〜１７：００、場所；エリア信号受信範囲内）、表示態様（コンテンツ＋手書きデータの表示）として設定され、電子ペーパ（ＩＤ：Ｂ）１１Ｂに対しては、表示条件（時間；２時間経過前／後、場所；エリア信号受信範囲内／外）、表示態様（コンテンツ＋手書きデータの表示／非表示）として設定され、電子ペーパ（ＩＤ：Ｃ）１１Ｂに対しては、表示条件（時間；１１月１日or木曜日、場所；エリア信号受信範囲外）、表示態様（コンテンツの表示）として設定される。
【００８１】
ここで、電子ペーパ管理テーブル（サーバ）６２に記憶される各種の情報のうち、前記電子ペーパ１１Ａ（１１Ｂ）のアクティブ（有効）情報についてはリアルタイムに更新されて記憶され、表示情報（コンテンツＩＤ・コンテンツ表示データ）は、登録要求の受信に応じて新規に又は更新されて記憶される。
【００８２】
図１１は、前記電子ペーパ記録装置（両面タイプ）１０Ｂの電子ペーパ１１Ｂにて記憶管理される表示コンテンツ記憶部２１Ｈの内容を示す図である。
【００８３】
この表示コンテンツ記憶部２１Ｈには、電子下敷１２Ｂに装着した際に、本電子ペーパ１１ＢのペーパＩＤに応じて表示されたコンテンツ表示データとそのコンテンツＩＤ、当該コンテンツ表示データ上で手書き入力された手書きデータとその位置情報、本電子ペーパ１１ＢのペーパＩＤに応じて電子ペーパ管理サーバ５３から読み出された単独使用時の表示態様制御情報（表示条件および表示態様）が記憶される。
【００８４】
次に、前記構成の電子ペーパ記録装置１０Ａ，１０Ｂをクラウドコンピューティングシステムの端末として組み込んだ場合（図７〜図１１参照）の動作について説明する。
【００８５】
図１２は、前記電子ペーパ記録装置１０Ａ，１０Ｂを端末として組み込んだクラウドコンピューティングシステムにおける第１実施形態の電子下敷１２Ａ，１２Ｂでの処理（その１）を示すフローチャートである。
【００８６】
図１３は、前記電子ペーパ記録装置１０Ａ，１０Ｂを端末として組み込んだクラウドコンピューティングシステムにおける第１実施形態の電子下敷１２Ａ，１２Ｂでの処理（その２）を示すフローチャートである。
【００８７】
図１４は、前記電子ペーパ記録装置１０Ａ，１０Ｂを端末として組み込んだクラウドコンピューティングシステムにおける第１実施形態の電子ペーパ管理サーバ５３での処理を示すフローチャートである。
【００８８】
電子ペーパ記録装置（両面タイプ）１０Ｂの電子下敷（両面タイプ）１２Ｂにおいて、電子ペーパ（両面タイプ）１１Ｂが装着されたことが、バインダ部１６における電磁誘導電源供給部３５Ｒ，３５Ｌおよび通信装置３７Ｒ，３７Ｌでの接続検出に応じて制御装置２８に判断されると（ステップＳ１（Ｙｅｓ））、装着された電子ペーパ１１Ｂの情報記憶装置２１に何らかのコンテンツの表示データが記憶されているか否かにより不揮発性表示装置１７に表示があるか否か判断される（ステップＳ２）。
【００８９】
電子ペーパ１１Ｂの不揮発性表示装置１７にコンテンツの表示が無いと判断されると（ステップＳ２（Ｎｏ））、当該電子ペーパ１１ＢのＩＤ記憶部２０から読み出された電子ペーパＩＤが、前記電子ペーパ管理テーブル（下敷）５４に既に登録されているか否か判断される（ステップＳ３）。
【００９０】
そして、前記電子ペーパ管理テーブル（下敷）５４に電子ペーパ１１ＢのペーパＩＤが登録されていないと判断された後（ステップＳ３（Ｎｏ））、当該電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【００９１】
ここで、前記複数のコンテンツ表示データが受信済みでないと判断されると（ステップＳ５（Ｎｏ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、電子ペーパ１１Ｂの不揮発性表示装置１７に表示される（ステップＳ７）。
【００９２】
すると、電子ペーパ１１ＢのＩＤ記憶部２０から読み出された電子ペーパＩＤが、前記情報記憶装置３０の電子ペーパ管理テーブル（下敷）５４（図８参照）に登録されているか否か判断される（ステップＳ８）。
【００９３】
そして、前記電子ペーパ管理テーブル（下敷）５４に、前記装着中の電子ペーパ１１ＢのペーパＩＤが登録されていないと判断されると（ステップＳ８（Ｎｏ））、当該電子ペーパ管理テーブル（下敷）５４に、電子ペーパ１１ＢのＩＤ記憶部２０から読み出された電子ペーパＩＤ、同電子ペーパ１１Ｂの不揮発性表示装置１７に表示されているコンテンツ表示データのコンテンツＩＤが記憶される（ステップＳ９）。
【００９４】
具体的には、図８に示すように、例えば電子ペーパＩＤ“Ａ”のアクティブ（有効）な裏面“２”に対応付けられてコンテンツＩＤ“２０１”として記憶される。
【００９５】
さらに、前記電子ペーパ管理テーブル（下敷）５４に記憶された本電子ペーパ１１ＢのペーパＩＤ、同電子ペーパ１１Ｂに表示されたコンテンツ表示データのＩＤとその表示データが、外部接続装置３３を介してネットワークＮ上の電子ペーパ管理サーバ５３へ送信され、その電子ペーパ管理テーブル（サーバ）６２（図１０参照）に登録される（ステップＳ１０）。
【００９６】
電子ペーパ管理サーバ５３において、前記電子下敷１２Ｂから送信された電子ペーパＩＤ、電子ペーパ１１Ｂに表示中のコンテンツＩＤとその表示データが受信されると（ステップＭ１（Ｙｅｓ））、電子ペーパ管理部５８ｂの電子ペーパ管理テーブル（サーバ）６２に、前記受信された電子ペーパＩＤを対応付けた管理データが既に登録されているか否か判断される（ステップＭ２）。
【００９７】
そして、電子ペーパ管理テーブル（サーバ）６２に、前記受信された電子ペーパＩＤを対応付けた管理データが登録されていないと判断されると（ステップＭ２（Ｎｏ））、当該受信された電子ペーパＩＤ、電子ペーパ１１Ｂに表示中のコンテンツＩＤとその表示データが対応付けられて新規登録される（ステップＭ３）。
【００９８】
具体的には、図１０に示すように、例えば電子ペーパＩＤ“Ａ”のアクティブ（有効）な裏面“２”に対応付けられてコンテンツＩＤ“２０１”、コンテンツ表示データ“Ｄ２０１”として登録される。
【００９９】
ここで、電子ペーパ管理テーブル（サーバ）６２に新たな電子ペーパＩＤが登録されると、当該ペーパＩＤに対応する表示態様制御情報（表示条件、表示態様）が生成されて登録される（ステップＭ３ａ）。
【０１００】
具体的には、図１０に示すように、電子ペーパＩＤ“Ａ”に対応する表示態様制御情報としては、表示条件（時間；９：００〜１７：００、場所；エリア信号受信範囲内）、および表示態様（コンテンツ＋手書きデータ表示）が登録される。
【０１０１】
すると、電子下敷１２Ｂにおいて、電子ペーパ１１Ｂから読み出されたペーパＩＤ“Ａ”が外部接続装置３３を介してネットワークＮ上の電子ペーパ管理サーバ５３へ送信される（ステップＳ３０）。
【０１０２】
電子ペーパ管理サーバ５３において、電子下敷１２Ｂから送信された装着中の電子ペーパ１１ＢのペーパＩＤ“Ａ”が受信されたと判断されると共に（ステップＭ１（Ｙｅｓ）
）、当該ペーパＩＤ“Ａ”が電子ペーパ管理テーブル（サーバ）６２に既に登録されていると判断されると（ステップＭ２（Ｙｅｓ））、データ要求であって（ステップＭ４（Ｙｅｓ））、コンテンツ要求ではないと判断される（ステップＭ４ａ（Ｎｏ））。
【０１０３】
すると、前記電子下敷１２Ｂから受信されたペーパＩＤ“Ａ”に対応付けられて電子ペーパ管理テーブル（サーバ）６２に登録されている表示態様制御情報［表示条件（時間；９：００〜１７：００、場所；エリア信号受信範囲内）、表示態様（コンテンツ＋手書きデータ表示）］が読み出され（ステップＭ９）、同電子下敷１２Ｂへ送信される（ステップＭ１０）。
【０１０４】
電子下敷１２Ｂにおいて、前記電子ペーパ管理サーバ５３から送信された表示態様制御情報が受信されると（ステップＳ３１）、この表示態様制御情報は、図８に示すように、電子ペーパ管理テーブル（下敷）５４のペーパＩＤ“Ａ”に対応付けられて記憶されると共に、装着中の電子ペーパ（ＩＤ：Ａ）１１Ｂへ送信されて登録される（ステップＳ３２）。
【０１０５】
この後、前記電子ペーパ“Ａ”１１Ｂのアクティブ（有効）な裏面“２”にコンテンツＩＤ“２０１”の表示データ“Ｄ２０１”が表示されている状態で、電子ペン１５による手書きの入力がタブレット１４Ｌにより検出されると（ステップＳ１１（Ｙｅｓ））、前記電子ペーパ“Ａ”１１Ｂの裏面“２”に表示中のコンテンツ表示データ“Ｄ２０１”上に、当該手書き入力に伴う軌跡が重ねられて表示される（ステップＳ１２）。
【０１０６】
そして、この手書き入力に伴う手書きデータとその位置情報は、本電子下敷１２Ｂの電子ペーパ管理テーブル（下敷）５４において、例えば、図８に示すように、前記電子ペーパＩＤ“Ａ”のアクティブ（有効）な裏面“２”、コンテンツＩＤ“２０１”に対応付けられた手書きデータ”ＨＤＡ２１”とその位置情報“ＰＡ２１”として記憶される（ステップＳ１３）。
【０１０７】
一方、前記電子下敷１２Ｂにおいて、電子ペーパ１１Ｂが装着された際に（ステップＳ１（Ｙｅｓ））、当該電子ペーパ１１Ｂの不揮発性表示装置１７に既にコンテンツの表示がされていると判断された場合は（ステップＳ２（Ｙｅｓ））、装着された電子ペーパ１１ＢのＩＤ記憶部２０から読み出された電子ペーパＩＤ、電子ペーパ１１Ｂの情報記憶装置２１から読み出された表示データとそのコンテンツＩＤが対応付けられてネットワークＮ上の電子ペーパ管理サーバ５３へ送信される（ステップＳ１４）。
【０１０８】
またこれと共に、電子ペーパ管理テーブル（下敷）５４において、前記装着された電子ペーパ１１Ｂの電子ペーパＩＤ、前記表示されている表示データのコンテンツＩＤが対応付けられて記憶される（ステップＳ１５）。
【０１０９】
この際、電子ペーパ管理サーバ５３において、前記受信された電子ペーパＩＤを対応付けた管理データが電子ペーパ管理部５８ｂの電子ペーパ管理テーブル６２に登録されていないと判断された場合は（ステップＭ１，Ｍ２（Ｎｏ））、当該受信された電子ペーパＩＤ、電子ペーパ１１Ｂに表示中のコンテンツＩＤとその表示データが対応付けられて新規登録され（ステップＭ３）、同ペーパＩＤに対応する表示態様制御情報が生成されて登録される（ステップＭ３ａ）。
【０１１０】
また一方、前記受信された電子ペーパＩＤを対応付けた管理データが前記電子ペーパ管理テーブル６２（図１０参照）に登録されていると判断された場合は（ステップＭ２（Ｙｅｓ））、当該電子ペーパＩＤに対応付けられて既に登録されているコンテンツＩＤと前記受信されたコンテンツＩＤとが異なる場合にコンテンツ表示データの更新と判断され（ステップＭ７（Ｙｅｓ））、同電子ペーパＩＤに対応付けられて、登録済みのコンテンツＩＤとその表示データが、前記受信されたコンテンツＩＤとその表示データに更新されて登録される（ステップＭ８）。
【０１１１】
具体的には、図１０に示すように、例えば電子ペーパＩＤ“Ｂ”のアクティブ（有効）な表面“１”に対応付けられてコンテンツＩＤ“３０１”“３０２”“３０３”が登録されており、今回受信されたコンテンツＩＤが異なるＩＤ“３０４”である場合に、登録済みの最先のコンテンツＩＤ“３０１”とその表示データ“Ｄ３０１”が今回受信された最新のコンテンツＩＤ“３０４”とその表示データ“Ｄ３０４”に更新されて登録される。
【０１１２】
すると、電子下敷１２Ｂにおいて、電子ペーパ１１Ｂから読み出されたペーパＩＤ“Ｂ”が外部接続装置３３を介してネットワークＮ上の電子ペーパ管理サーバ５３へ送信される（ステップＳ３０）。
【０１１３】
電子ペーパ管理サーバ５３において、電子下敷１２Ｂから送信された装着中の電子ペーパ１１ＢのペーパＩＤ“Ｂ”が受信されたと判断されると共に（ステップＭ１（Ｙｅｓ））、当該ペーパＩＤ“Ｂ”が電子ペーパ管理テーブル（サーバ）６２に既に登録されていると判断されると（ステップＭ２（Ｙｅｓ））、データ要求であって（ステップＭ４（Ｙｅｓ））、コンテンツ要求ではないと判断される（ステップＭ４ａ（Ｎｏ））。
【０１１４】
すると、前記電子下敷１２Ｂから受信されたペーパＩＤ“Ｂ”に対応付けられて電子ペーパ管理テーブル（サーバ）６２に登録されている表示態様制御情報［表示条件（時間；２時間経過前／後、場所；エリア信号受信範囲内／外）、表示態様（コンテンツ＋手書きデータ表示／非表示）］が読み出され（ステップＭ９）、同電子下敷１２Ｂへ送信される（ステップＭ１０）。
【０１１５】
電子下敷１２Ｂにおいて、前記電子ペーパ管理サーバ５３から送信された表示態様制御情報が受信されると（ステップＳ３１）、この表示態様制御情報は、図８に示すように、電子ペーパ管理テーブル（下敷）５４のペーパＩＤ“Ｂ”に対応付けられて一時記憶されると共に、装着中の電子ペーパ（ＩＤ：Ｂ）１１Ｂへ送信されて登録される（ステップＳ３２）。
【０１１６】
この後、前記電子下敷“あ”１２Ｂの電子ペーパ“Ｂ”１１Ｂの表面“１”にコンテンツＩＤ“３０３”の表示データ“Ｄ３０３”が表示されている状態で、電子ペン１５による手書きの入力がタブレット１４Ｒにより検出されると（ステップＳ１１（Ｙｅｓ））、前記電子ペーパ“Ｂ”１１Ｂの表面“１”に表示中のコンテンツ表示データ“Ｄ３０３”上に、当該手書き入力に伴う軌跡が重ねられて表示される（ステップＳ１２）。
【０１１７】
そして、この手書き入力に伴う手書きデータとその位置情報は、本電子下敷１２Ｂの電子ペーパ管理テーブル（下敷）５４において、例えば、図８に示すように、前記電子ペーパＩＤ“Ｂ”のアクティブ（有効）な表面“１”、コンテンツＩＤ“３０３”に対応付けられた手書きデータ”ＨＤＢ１３”とその位置情報“ＰＢ１３”として記憶される（ステップＳ１３）。
【０１１８】
一方、前記電子下敷１２Ｂにおいて、電子ペーパ１１Ｂが装着された際に（ステップＳ１（Ｙｅｓ））、当該電子ペーパ１１Ｂの不揮発性表示装置１７にコンテンツの表示がされていないと判断された場合であって（ステップＳ２（Ｎｏ））、電子ペーパ管理テーブル（下敷）５４に、電子ペーパ１１ＢのＩＤ記憶部２０から読み出された電子ペーパＩＤが登録済みであると判断された場合には（ステップＳ３（Ｙｅｓ））、当該電子ペーパＩＤがコンテンツ要求と共に外部接続装置３３を介してネットワークＮ上の電子ペーパ管理サーバ５３へ送信される（ステップＳ１６）。
【０１１９】
具体的には、例えば、図８に示すように、電子ペーパ管理テーブル（下敷）５４に登録済みの電子ペーパＩＤ“Ｂ”がコンテンツ要求と共に電子ペーパ管理サーバ５３へ送信される。
【０１２０】
電子ペーパ管理サーバ５３において、前記電子下敷１２Ｂから送信された電子ペーパＩＤ“Ｂ”が受信された際に（ステップＭ１（Ｙｅｓ））、当該受信された電子ペーパＩＤ“Ｂ”が、電子ペーパ管理テーブル（サーバ）６２（図１０参照）に登録済みであると判断されると（ステップＭ２（Ｙｅｓ））、前記受信データの中にコンテンツ表示データが含まれていないことで表示データの登録要求ではなくコンテンツ要求であると判断される（ステップＭ４，Ｍ４ａ（Ｙｅｓ））。
【０１２１】
すると、前記電子ペーパ管理テーブル（サーバ）６２において、前記電子下敷１２Ｂから受信された電子ペーパＩＤ“Ｂ”のアクティブ（有効）な表面“１”に対応付けられて登録されている全てのコンテンツＩＤ“３０１”“３０２”“３０３”とコンテンツ表示データ“Ｄ３０１”“Ｄ３０２”“Ｄ３０３”が読み出され（ステップＭ５）、前記電子下敷“あ”１２Ｂへ送信される（ステップＭ６）。
【０１２２】
電子下敷１２Ｂにおいて、前記電子ペーパ管理サーバ５３から送信されたコンテンツＩＤ“３０１”“３０２”“３０３”とコンテンツ表示データ“Ｄ３０１”“Ｄ３０２”“Ｄ３０３”が受信されると（ステップＳ１７）、その最新のコンテンツ表示データ“Ｄ３０３”が電子ペーパ“Ｂ”１１Ｂの情報記憶装置２１に書き込まれ、アクティブ（有効）な表面“１”の不揮発性表示装置１７Ｒに表示される（ステップＳ１８）。なお、前記電子ペーパ管理サーバ５３からの受信データが、１つのコンテンツＩＤとコンテンツ表示データである場合には、その表示データが電子ペーパ１１Ｂの不揮発性表示装置１７に表示される。
【０１２３】
そして、前記ステップＳ３の処理に従い電子ペーパ管理テーブル（下敷）５４に登録済みと判断された電子ペーパＩＤ“Ｂ”、および前記不揮発性表示装置１７Ｒに表示されたコンテンツ表示データ“Ｄ３０３”のＩＤ“３０３”に対応付けられた手書きデータ“ＨＤＢ１３”が登録されていると判断されると（ステップＳ１９（Ｙｅｓ））、当該手書きデータ“ＨＤＢ１３”がその位置情報“ＰＢ１３”に従い前記電子ペーパ“Ｂ”１１Ｂの表面“１”の不揮発性表示装置１７Ｒに表示中のコンテンツ表示データ“Ｄ３０３”上に重畳されて表示される（ステップＳ２０）。
【０１２４】
この後、電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【０１２５】
ここでは、前記ステップＳ１７において、電子ペーパ管理サーバ５３から３つのコンテンツＩＤ“３０１”“３０２”“３０３”とコンテンツ表示データ“Ｄ３０１”“Ｄ３０２”“Ｄ３０３”が受信済みであると判断され（ステップＳ５（Ｙｅｓ））、この複数のコンテンツ表示データ“Ｄ３０１”“Ｄ３０２”“Ｄ３０３”の選択項目に、外部からの取り込みを指示する選択項目を加えた表示選択メニューが前記電子ペーパ“Ｂ”１１Ｂの表面“１”の不揮発性表示装置１７Ｒにウインドウ表示される（ステップＳ２１）。
【０１２６】
そして、前記ウインドウ表示された表示選択メニューがユーザ操作に応じて選択されると（ステップＳ２２）、先ず、外部からの取り込みを指示する選択項目が選択されたか否か判断される（ステップＳ２３）。
【０１２７】
ここで、外部からの取り込みを指示する選択項目が選択されていないと判断された場合に（ステップＳ２３（Ｎｏ））、前記受信済みである複数のコンテンツ表示データ“Ｄ３０１”“Ｄ３０２”“Ｄ３０３”の何れかの選択項目が選択された場合には（ステップＳ２４）、当該選択された例えばコンテンツ表示データ“Ｄ３０１”が、電子ペーパ“Ｂ”１１Ｂの情報記憶装置２１に書き込まれ、前記コンテンツ表示データ“Ｄ３０３”が表示されているアクティブ（有効）な表面“１”の不揮発性表示装置１７Ｒに変更されて表示される（ステップＳ２５）。
【０１２８】
そして、電子ペーパ１１Ｂの電子ペーパＩＤ“Ｂ”、前記選択表示されたコンテンツ表示データ“Ｄ３０１”のコンテンツＩＤ“３０１”に対応付けられて、電子ペーパ管理テーブル（下敷）５４（図８参照）に手書きデータ“ＨＤＢ１１”が登録されていると判断されると（ステップＳ２６（Ｙｅｓ））、当該手書きデータ“ＨＤＢ１１”がその位置情報“ＰＢ１１”に従い前記電子ペーパ“Ｂ”１１Ｂの表面“１”の不揮発性表示装置１７Ｒに表示中のコンテンツ表示データ“Ｄ３０１”上に重畳されて表示される（ステップＳ２７）。
【０１２９】
一方、前記ステップＳ２３において、前記ウインドウ表示された表示選択メニューから外部からの取り込みを指示する選択項目が選択されたと判断された場合は（ステップＳ２３（Ｙｅｓ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、前記電子ペーパ“Ｂ”１１Ｂの不揮発性表示装置１７Ｒに表示される（ステップＳ７）。
【０１３０】
ここで、当該電子ペーパ１１ＢのＩＤ記憶部２０から読み出された電子ペーパＩＤ“Ｂ”が、前記電子ペーパ管理テーブル（下敷）５４（図８参照）に登録されていると判断されると（ステップＳ８（Ｙｅｓ））、当該電子ペーパ管理テーブル（下敷）５４に登録済みの電子ペーパＩＤ“Ｂ”のアクティブ（有効）な表面“１”に対応付けられて、登録済みの最先のコンテンツＩＤ“３０１”が、前記ステップＳ６，Ｓ７にて新たに表示されたコンテンツ表示データのコンテンツＩＤ（例えば“３０４”）に更新されて記憶される（ステップＳ２８）。この際、更新されたコンテンツＩＤ“３０４”に対応するところの手書きデータ“ＨＤＢ１１”およびその位置情報“ＰＢ１１”は消去される。
【０１３１】
そして、前記電子ペーパ１１ＢのＩＤ記憶部２０から読み出された電子ペーパＩＤ“Ｂ”、同電子ペーパ１１Ｂに表示中のコンテンツＩＤ“３０４”とその表示データ（例えば“Ｄ３０４”）が、外部接続装置３３を介してネットワークＮ上の電子ペーパ管理サーバ５３へ送信され、その電子ペーパ管理テーブル（サーバ）６２に更新されて登録される（ステップＳ２９）。
【０１３２】
電子ペーパ管理サーバ５３において、前記電子下敷１２Ｂから受信された電子ペーパＩＤ“Ｂ”を対応付けた管理データが電子ペーパ管理テーブル（サーバ）６２（図１０参照）に登録されていると判断されると（ステップＭ１，Ｍ２（Ｙｅｓ））、当該電子ペーパＩＤ“Ｂ”のアクティブ（有効）な表面“１”の組み合わせに対応付けられて登録されているコンテンツＩＤ“３０１”“３０２”“３０２”と前記受信されたコンテンツＩＤ“３０４”とが異なることでコンテンツ表示データの更新と判断される（ステップＭ７（Ｙｅｓ））。
【０１３３】
すると、同電子ペーパ管理テーブル（サーバ）６２において、同電子ペーパＩＤ“Ｂ”のアクティブ（有効）な表面“１”の組み合わせに対応付けられて、登録済みの最先のコンテンツＩＤ”３０１”とその表示データ“Ｄ３０１”が、前記受信されたコンテンツＩＤ“３０４”とその表示データ“Ｄ３０４”に更新されて登録される（ステップＭ８）。
【０１３４】
図１５は、前記電子ペーパ記録装置１０Ａ，１０Ｂを端末として組み込んだクラウドコンピューティングシステムにおける第１実施形態の電子ペーパ１１Ａ，１１Ｂでの処理を示すフローチャートである。
【０１３５】
この電子ペーパ１１Ａ，１１Ｂにおける処理は、情報記憶装置２１に記憶された制御プログラムに従った制御装置１９の制御により、以下のように実行される。
【０１３６】
すなわち、電子ペーパ１１Ｂにおいて、当該電子ペーパ１１Ｂを電子下敷１２Ｂのタブレット１４上に載せて装着したことが、例えば電子下敷１２Ｂから電磁誘導電源部２２を介した電源供給に基づき検出されると（ステップＰ１（Ｙｅｓ））、ＩＤ記憶部２６に記憶されているペーパＩＤが読み出され通信装置２３を介して電子下敷１２Ｂへ送信される（ステップＰ２）。
【０１３７】
すると、現在、不揮発性表示装置１７Ｒ，１７Ｌに表示中のコンテンツ表示データがあるか否かが判断される（ステップＰ３）。
【０１３８】
ここで、不揮発性表示装置１７Ｒ，１７Ｌに表示中のコンテンツが無いと判断されると（ステップＰ３（Ｎｏ））、電子下敷１２Ｂからコンテンツ表示データが受信されたか否かが判断される（ステップＰ４）。
【０１３９】
電子下敷１２Ｂからコンテンツ表示データが受信されたと判断されると（ステップＰ４（Ｙｅｓ））、当該コンテンツ表示データは、現在有効な面の不揮発性記憶装置１７Ｒ又は１７Ｌに表示される（ステップＰ５）。
【０１４０】
ここで、前記不揮発性記憶装置１７Ｒ又は１７Ｌに表示されたコンテンツ表示データのコンテンツＩＤについて、表示コンテンツ記憶部２１Ｈの表裏何れか有効な面に対応付けられて既に登録済みであるか否かが判断され（ステップＰ６）、登録済みでないと判断されると（ステップＰ６（Ｎｏ））、当該コンテンツ表示データがそのコンテンツＩＤと対応付けられて表示コンテンツ記憶部２１Ｈに登録される（ステップＰ７）。
【０１４１】
この後、電子下敷１２Ｂから手書きデータとその位置情報が受信されたと判断されると（ステップＰ１０（Ｙｅｓ））、前記不揮発性表示装置１７Ｒ，１７Ｌの有効な面に表示されているコンテンツ表示データ上にその手書きデータが追記データとして重畳されて表示される（ステップＰ１１）。
【０１４２】
ここで、表示された手書きデータについて、前記表示中のコンテンツ表示データのコンテンツＩＤに対応付けられて前記表示コンテンツ記憶部２１Ｈに既に登録済みであるか否かが判断され（ステップＰ１２）、登録済みでないと判断されると（ステップＰ１２（Ｎｏ））、当該手書きデータとその位置情報が前記コンテンツＩＤに対応付けられて新規登録または更新されて登録される（ステップＰ１３）。
【０１４３】
すなわち具体的には、例えば、電子下敷１２Ｂにその表面を有効にして装着された電子ペーパ“Ｂ”１１Ｂにおいて、表示中のコンテンツ表示データが無く、電子下敷１２Ｂから新たなコンテンツ表示データ“Ｄ３０１”が受信されて表示されると、表示コンテンツ記憶部２１Ｈの有効な表面“１”に対応付けられて、そのコンテンツＩＤ“３０１”およびコンテンツ表示データ“Ｄ３０１”が登録される。そして、電子下敷１２Ｂから手書きデータ“ＨＤＢ１１”とその位置情報“ＰＢ１１”が受信されて重畳表示されると、同表示コンテンツ記憶部２１ＨのコンテンツＩＤ“３０１”に対応付けられて、その手書きデータ“ＨＤＢ１１”および位置情報“ＰＢ１１”が登録される。
【０１４４】
この後、電子下敷１２Ｂから、電子ペーパ１１ＢのペーパＩＤ“Ｂ”に対応して電子ペーパ管理サーバ５３から取得された表示態様制御情報［表示条件（時間；２時間経過前／後、場所；エリア信号受信範囲内／外）、表示態様（コンテンツ＋手書きデータ表示／非表示）］が受信されると（ステップＰ１４（Ｙｅｓ））、当該受信された表示態様制御情報が前記表示コンテンツ記憶部２１Ｈに登録される（ステップＰ１５）。
【０１４５】
一方、前記電子ペーパ“Ｂ”１１Ｂが電子下敷１２Ｂに装着された際に（ステップＰ１，Ｐ２）、例えば、表示コンテンツ記憶部２１Ｈに登録されているコンテンツ表示データ“Ｄ３０１”が不揮発性表示装置１７Ｒに表示されている状態で（ステップＰ３（Ｙｅｓ））、電子下敷１２Ｂから別のコンテンツ表示データ“Ｄ３０２”が受信されると（ステップＰ８（Ｙｅｓ））、表示中のコンテンツ表示データ“Ｄ３０１”が前記受信されたコンテンツ表示データ“Ｄ３０２”に書き替えられて表示されると共に、そのコンテンツＩＤ“３０２”と対応付けられて表示コンテンツ記憶部２１Ｈに登録される（ステップＰ９）。
【０１４６】
この後、電子下敷１２Ｂから手書きデータ“ＨＤＢ１２”とその位置情報“ＰＢ１２”が受信されたと判断されると（ステップＰ１０（Ｙｅｓ））、前記不揮発性表示装置１７Ｒに表示されているコンテンツ表示データ“Ｄ３０２”上にその手書きデータ“ＨＤＢ１２”が追記データとして重畳されて表示される（ステップＰ１１）。
【０１４７】
そして、前記表示された手書きデータ“ＨＤＢ１２”について、表示コンテンツ記憶部２１Ｈに登録済みでないと判断され（ステップＰ１２（Ｎｏ））、当該手書きデータ“ＨＤＢ１２”とその位置情報“ＰＢ１２”が前記コンテンツＩＤ“３０２”に対応付けられて登録される（ステップＰ１３）。
【０１４８】
この後、前記同様に、電子下敷１２Ｂから、電子ペーパ１１ＢのペーパＩＤ“Ｂ”に対応して電子ペーパ管理サーバ５３から取得された表示態様制御情報［表示条件（時間；２時間経過前／後、場所；エリア信号受信範囲内／外）、表示態様（コンテンツ＋手書きデータ表示／非表示）］が受信されると（ステップＰ１４（Ｙｅｓ））、当該受信された表示態様制御情報が前記表示コンテンツ記憶部２１Ｈに登録される（ステップＰ１５）。
【０１４９】
すなわち、電子下敷１２Ｂから当該電子下敷１２Ｂに装着中の電子ペーパ１１Ｂに対して、コンテンツ表示データや手書きデータが受信され、新規表示あるいは書き替えられて表示され、表示コンテンツ記憶部２１Ｈに登録される毎に、同電子ペーパ１１ＢのペーパＩＤに応じて電子ペーパ管理サーバ５３から取得された表示態様制御情報（表示条件（時間／場所）、表示態様）が受信され、前記表示コンテンツ記憶部２１Ｈに登録される。
【０１５０】
この後、例えば前記電子ペーパ“Ｂ”１１Ｂにおいて、電磁誘導電源部２２や通信装置２３の接続が断たれることで、電子下敷１２Ｂから外れたことが検出されると（ステップＰ１６（Ｙｅｓ））、前記下敷装着状態での一連の処理（ステップＰ１〜Ｐ１６）は一旦終了され先頭の処理（ステップＰ１）に戻る。
【０１５１】
そして、電子下敷１２Ｂへの装着が検出されず、外れている状態であると判断されると（ステップＰ１（Ｎｏ））、表示コンテンツ記憶部２１Ｈに登録済みのコンテンツ表示データがあるか否かが判断される（ステップＰ１７）。
【０１５２】
ここで、表示コンテンツ記憶部２１Ｈに登録済みのコンテンツ表示データがあると判断されると（ステップＰ１７（Ｙｅｓ））、計時部６５の計時データに基づき年月日曜日時刻が検出されると共に、受信部６５におけるエリア信号の受信状態に基づき本電子ペーパ“Ｂ”１１Ｂが特定の場所内に存在するか否かが検出される（ステップＰ１８）。
【０１５３】
すると、表示コンテンツ記憶部２１Ｈに登録されている本電子ペーパ“Ｂ”１１Ｂの表示態様制御情報［表示条件（時間；２時間経過前／後、場所；エリア信号受信範囲内／外）、表示態様（コンテンツ＋手書きデータ表示／非表示）］に応じて、同表示コンテンツ記憶部２１Ｈに登録されているコンテンツ表示データおよび手書きデータの表示／非表示が制御される（ステップＰ１９）。
【０１５４】
この電子ペーパ“Ｂ”１１Ｂの場合、具体的には、前記電子下敷１２Ｂから外れたと判断された後、２時間経過前であって、且つ、特定の場所内に存在することが検出されている状態では、表示コンテンツ記憶部２１Ｈにおいて例えばデフォルト設定された表面“１”側の先頭のコンテンツ表示データ“Ｄ３０１”およびその手書きデータ“ＨＤＢ１１”が不揮発系表示装置１７Ｒに表示される。なお、表示コンテンツ記憶部２１Ｈに登録されているコンテンツ表示データおよびそのコンテンツＩＤに対応する手書きデータの表示の切り替えは、表示条件、表示態様に応じた自動切り替え、あるいは入力装置２４Ｒからのユーザ操作に応じた切り替えとしてもよい。
【０１５５】
そして、２時間経過後であるか、または、特定の場所外に存在することが検出されると、何れのデータの表示も停止される。
【０１５６】
したがって、前記構成の第１実施形態の電子ペーパ記録装置１０Ａ，１０Ｂによれば、電子下敷１２Ａ，１２Ｂに電子ペーパ１１Ａ，１１Ｂを装着すると、その電子ペーパＩＤに対応付けられて下敷内管理テーブル５４に登録されているコンテンツＩＤに対応して、外部接続される電子ペーパ管理サーバ５３の管理テーブル６２に登録されているコンテンツ表示データが取得され、装着された電子ペーパ１１Ａ，１１Ｂに表示される。また、電子ペーパ１１Ａ，１１Ｂ上での手書き入力に伴う手書きデータは、電子下敷１２Ａ，１２Ｂのタブレット１７により検出され、前記表示されたコンテンツ表示データ上に重畳表示され、前記下敷内管理テーブル５４にそのコンテンツＩＤと対応付けられて登録される。電子ペーパ管理テーブル（サーバ）６２には、電子ペーパＩＤ毎に異なるペーパ単独での表示条件および表示態様からなる表示態様制御情報が登録されており、前記電子ペーパ１１Ａ，１１Ｂにコンテンツ表示データや手書きデータを表示させその表示コンテンツ記憶部２１Ｈに登録する毎に、この電子ペーパＩＤに対応した表示態様制御情報が前記サーバ内管理テーブル６２から取得され、同表示コンテンツ記憶部２１Ｈに登録される。そして、電子ペーパ１１Ａ，１１Ｂが電子下敷１２Ａ，１２Ｂから外されると、この後、前記表示コンテンツ記憶部２１Ｈに登録されたペーパＩＤ対応の表示態様制御情報に従い、当該電子ペーパ１１Ａ，１１Ｂ単独でのコンテンツ表示データおよび手書きデータの表示／非表示が制御される。
【０１５７】
このため、複数の電子ペーパ１１Ａ，１１Ｂ，…の各々単独において、当該電子ペーパ１１Ａ，１１Ｂに登録された各種データの表示／非表示や所定時間後非表示等について設定をする必要がなく、電子下敷１２Ａ，１２Ｂに装着して各種データの表示登録を実行するのに伴い、当該電子ペーパ１１Ａ，１１Ｂが電子下敷１２Ａ，１２Ｂから外された後のデータ表示態様を容易に設定できる。
【０１５８】
なお、前記第１実施形態の電子ペーパ記録装置１０Ａ，１０Ｂでは、電子ペーパ１１Ａ，１１Ｂを電子下敷１２Ａ，１２Ｂに装着した状態で、当該電子ペーパ１１Ａ，１１Ｂにコンテンツ表示データや手書きデータを表示させるのに伴い登録するペーパ単独での表示態様制御情報について、ペーパＩＤ毎に異なる表示条件と表示態様の表示態様制御情報として電子ペーパ管理サーバ５３の管理テーブル６２から取得して登録する構成とした。
【０１５９】
これに対し、次の第２実施形態の電子ペーパ記録装置１０Ａ，１０Ｂにおいて説明するように、電子ペーパ１１Ａ，１１Ｂに登録する表示態様制御情報は、当該電子ペーパ１１Ａ，１１Ｂに表示させて登録するコンテンツ表示データの属性（重要度・機密レベル）に応じて異なる表示条件と表示態様の表示態様制御情報とし、電子ペーパ管理サーバ５３の管理テーブル６２ａから取得して登録する構成としてもよい。
【０１６０】
（第２実施形態）
図１６は、前記電子ペーパ記録装置１０Ａ，１０Ｂの第２実施形態の電子下敷１２Ｂ（１２Ａ）の情報記憶装置３０にて記憶管理される電子ペーパ管理テーブル（下敷）５４ａの内容を示す図である。
【０１６１】
この第２実施形態の電子ペーパ管理テーブル（下敷）５４ａには、前記第１実施形態と同様に、電子下敷１２Ｂ（１２Ａ）に電子ペーパ１１Ａ（１１Ｂ）…が装着された際に、当該各電子ペーパ１１Ａ（１１Ｂ）…の固有情報（電子ペーパＩＤ・表裏コード・サイズ）に対応付けられて、重なり検出情報、手書き位置の補正情報、アクティブ（有効）情報が記憶されると共に、各電子ペーパ１１Ａ（１１Ｂ）の表裏それぞれに表示されている表示情報（表示データのコンテンツＩＤ・手書きデータとその位置）も記憶される。
【０１６２】
また、この電子ペーパ管理テーブル（下敷）５４には、前記第１実施形態と同様に、電子ペーパ管理サーバ５３から読み出された表示態様制御情報（表示条件および表示態様）も一時記憶されるが、この第２実施形態における表示態様制御情報は、コンテンツＩＤに応じて異なる表示条件と表示態様の表示態様制御情報となる。
【０１６３】
この第２実施形態において、コンテンツＩＤは、そのコンテンツ表示データの属性（重要度・機密レベル）に対応しており、具体的には、図１７に示すように、例えばコンテンツＩＤ“１０１”“１０２”…のグループはそのコンテンツ属性“Ａ”、コンテンツＩＤ“２０１”“２０２”…のグループはそのコンテンツ属性“Ａ（−）”、コンテンツＩＤ“３０１”“３０２”…のグループはそのコンテンツ属性“Ｂ”、コンテンツＩＤ“４０１”“４０２”…のグループはそのコンテンツ属性“Ｂ（−）”、コンテンツＩＤ“５０１”“５０２”…のグループはそのコンテンツ属性“Ｃ”、コンテンツＩＤ“６０１”“６０２”…のグループはそのコンテンツ属性“Ｃ（−）”として定められる。
【０１６４】
図１７は、前記電子ペーパ管理サーバ５３の第２実施形態の電子ペーパ管理部５８ｂにて記憶管理される表示態様制御情報管理テーブル（サーバ）６２ａの内容を示す図である。
【０１６５】
すなわち、この表示態様制御情報管理テーブル（サーバ）６２ａには、コンテンツの種類に応じた属性毎に、それぞれ異なる表示条件（時間／場所）および表示態様からなる表示態様制御情報が設定される。
【０１６６】
なお、この第２実施形態おいて、電子ペーパ管理サーバ５３の電子ペーパ管理部５８ｂにて記憶管理される電子ペーパ管理テーブル（サーバ）６２は、前記第１実施形態のそれ（図１０参照）と同一の内容でありその図示説明を省略する。
【０１６７】
図１８は、前記電子ペーパ記録装置（両面タイプ）１０Ｂの電子ペーパ１１Ｂにて記憶管理される第２実施形態の表示コンテンツ記憶部２１Ｈａの内容を示す図である。
【０１６８】
この第２実施形態の表示コンテンツ記憶部２１Ｈａには、電子下敷１２Ｂに装着した際に、本電子ペーパ１１ＢのペーパＩＤに応じて表示されたコンテンツ表示データとそのコンテンツＩＤ、当該コンテンツ表示データ上で手書き入力された手書きデータとその位置情報、そして、コンテンツＩＤに応じて電子ペーパ管理サーバ５３から読み出された単独使用時の表示態様制御情報（表示条件および表示態様）が記憶される。
【０１６９】
次に、前記構成の第２実施形態の電子ペーパ記録装置１０Ａ，１０Ｂをクラウドコンピューティングシステムの端末として組み込んだ場合（図７，図１０，図１６〜図１８参照）の動作について説明する。
【０１７０】
図１９は、前記電子ペーパ記録装置１０Ａ，１０Ｂを端末として組み込んだクラウドコンピューティングシステムにおける第２実施形態の電子下敷１２Ａ，１２Ｂでの処理（その２）を示すフローチャートである。
【０１７１】
図２０は、前記電子ペーパ記録装置１０Ａ，１０Ｂを端末として組み込んだクラウドコンピューティングシステムにおける第２実施形態の電子ペーパ管理サーバ５３での処理を示すフローチャートである。
【０１７２】
この第２実施形態の動作説明において、電子下敷１２Ａ，１２Ｂでの処理（その１）については、前記第１実施形態のそれ（図１２参照）と同一でありその図示説明を省略する。
【０１７３】
すなわち、この第２実施形態における電子下敷１２Ａ，１２Ｂでの処理は、そのステップＳ１〜Ｓ２９において前記第１実施形態における電子下敷１２Ａ，１２Ｂでの処理と同一であり、電子下敷１２Ａ，１２Ｂに電子ペーパ１１Ａ，１１Ｂを装着すると、その電子ペーパＩＤに対応付けられて下敷内管理テーブル５４ａに登録されているコンテンツＩＤに対応して、外部接続される電子ペーパ管理サーバ５３の管理テーブル６２に登録されているコンテンツ表示データが取得され、装着された電子ペーパ１１Ａ，１１Ｂに表示される。また、電子ペーパ１１Ａ，１１Ｂ上での手書き入力に伴う手書きデータは、電子下敷１２Ａ，１２Ｂのタブレット１７により検出され、前記表示されたコンテンツ表示データ上に重畳表示され、前記下敷内管理テーブル５４ａにそのコンテンツＩＤと対応付けられて登録される。
【０１７４】
そして、この第２実施形態における電子下敷１２Ａ，１２Ｂでの処理では、コンテンツ表示データの電子ペーパ１１Ａ，１１Ｂへの表示登録処理がなされる毎に、そのコンテンツＩＤが電子ペーパ管理サーバ５３へ送信される（ステップＳ３０ａ）。
【０１７５】
電子ペーパ管理サーバ５３において、電子下敷１２Ｂから送信されたコンテンツＩＤ（例えば“３０１”）のみが受信されたと判断されると（ステップＭ１，Ｍ１ａ（Ｙｅｓ））、当該受信されたコンテンツＩＤ“３０１”に対応付けられて表示態様制御情報管理テーブル（サーバ）６２ａに登録されているコンテンツ属性“Ｂ”に応じた表示態様制御情報［表示条件（時間；２時間経過前／後、場所；エリア信号受信範囲内／外）、表示態様（コンテンツ＋手書きデータ表示／非表示）］が読み出され（ステップＭ９ａ）、同電子下敷１２Ｂへ送信される（ステップＭ１０ａ）。
【０１７６】
電子下敷１２Ｂにおいて、前記電子ペーパ管理サーバ５３から送信されたコンテンツ属性に応じた表示態様制御情報が受信されると（ステップＳ３１ａ）、この表示態様制御情報は、図１６に示すように、電子ペーパ管理テーブル（下敷）５４ａの登録されたコンテンツＩＤ“３０１”に対応付けられて記憶されると共に、装着中の電子ペーパ（ＩＤ：Ｂ）１１Ｂへ送信されて登録される（ステップＳ３２ａ）。
【０１７７】
そして、この第２実施形態の電子ペーパ１１Ａ，１１Ｂでの処理ステップは、前記図１５における第１実施形態での処理ステップ（Ｐ１〜Ｐ１９）と同一であるが、当該電子ペーパ１１Ａ，１１Ｂにて表示登録されたコンテンツ表示データのコンテンツＩＤに応じた表示態様制御情報が取得されて登録される点で異なる。
【０１７８】
すなわち、電子下敷１２Ｂから当該電子下敷１２Ｂに装着中の電子ペーパ１１Ｂに対して、コンテンツ表示データや手書きデータが受信され、新規表示あるいは書き替えられて表示され、表示コンテンツ記憶部２１Ｈａに登録される毎に、そのコンテンツ表示データのコンテンツＩＤに応じて電子ペーパ管理サーバ５３から取得された表示態様制御情報（表示条件（時間／場所）、表示態様）が受信され、前記表示コンテンツ記憶部２１Ｈａに登録される（ステップＰ１〜Ｐ１５）。
【０１７９】
この後、例えば前記電子ペーパ“Ｂ”１１Ｂにおいて、電磁誘導電源部２２や通信装置２３の接続が断たれることで、電子下敷１２Ｂから外れたことが検出されると（ステップＰ１６（Ｙｅｓ））、前記下敷装着状態での一連の処理（ステップＰ１〜Ｐ１６）は一旦終了され先頭の処理（ステップＰ１）に戻る。
【０１８０】
そして、電子下敷１２Ｂへの装着が検出されず、外れている状態であると判断されると（ステップＰ１（Ｎｏ））、表示コンテンツ記憶部２１Ｈａに登録済みのコンテンツ表示データがあるか否かが判断される（ステップＰ１７）。
【０１８１】
ここで、表示コンテンツ記憶部２１Ｈａに登録済みのコンテンツ表示データがあると判断されると（ステップＰ１７（Ｙｅｓ））、計時部６５の計時データに基づき年月日曜日時刻が検出されると共に、受信部６５におけるエリア信号の受信状態に基づき本電子ペーパ“Ｂ”１１Ｂが特定の場所内に存在するか否かが検出される（ステップＰ１８）。
【０１８２】
すると、表示コンテンツ記憶部２１Ｈａに登録されている本電子ペーパ“Ｂ”１１Ｂの表面“１”側のコンテンツＩＤ“３０１”〜“３０３”に対応する表示態様制御情報［表示条件（時間；２時間経過前／後、場所；エリア信号受信範囲内／外）、表示態様（コンテンツ＋手書きデータ表示／非表示）］と、裏面“２”側のコンテンツＩＤ“４０１”“４０２”に対応する表示態様制御情報［表示条件（時間；５時間経過前／後、場所；エリア信号受信範囲内／外）、表示態様（コンテンツ＋手書きデータ表示／非表示）］とに応じて、同表示コンテンツ記憶部２１Ｈａに登録されているコンテンツ表示データ“Ｄ３０１”〜“Ｄ３０３”と“Ｄ４０１”“Ｄ４０２”および各対応する手書きデータ“ＨＤＢ１１”〜“ＨＤＢ１３”と“ＨＤＢ２１”の表示／非表示が制御される（ステップＰ１９）。
【０１８３】
すなわち、この電子ペーパ“Ｂ”１１Ｂの場合、具体的には、前記電子下敷１２Ｂから外れたと判断された後、２時間経過前であって、且つ、特定の場所内に存在することが検出されている状態では、表示コンテンツ記憶部２１Ｈａにおいて例えばデフォルト設定された表面“１”側の先頭のコンテンツ表示データ“Ｄ３０１”およびその手書きデータ“ＨＤＢ１１”が不揮発系表示装置１７Ｒに表示される。
【０１８４】
また同様に、５時間経過前であって、且つ、特定の場所内に存在することが検出されている状態では、表示コンテンツ記憶部２１Ｈａにおいて例えばデフォルト設定された裏面“２”側の先頭のコンテンツ表示データ“Ｄ４０１”およびその手書きデータ“ＨＤＢ２１”が不揮発系表示装置１７Ｌに表示される。
【０１８５】
なお、前記表示コンテンツ記憶部２１Ｈａに登録されている表面“１”側の各コンテンツ表示データおよびそのコンテンツＩＤに対応する手書きデータの表示の切り替え、また、裏面“２”側の各コンテンツ表示データおよびそのコンテンツＩＤに対応する手書きデータの表示の切り替えは、各対応する表示態様制御情報に応じた自動切り替え、あるいは入力装置２４Ｒからのユーザ操作に応じた切り替えとしてもよい。
【０１８６】
そして、この電子ペーパ“Ｂ”１１Ｂの表面“１”側においては、２時間経過後であるか、または、特定の場所外に存在することが検出されると、何れのデータの表示も停止され、また、裏面“２”側においては、５時間経過後であるか、または、特定の場所外に存在することが検出されると、何れのデータの表示も停止される。
【０１８７】
したがって、前記構成の第２実施形態の電子ペーパ記録装置１０Ａ，１０Ｂによれば、電子下敷１２Ａ，１２Ｂに電子ペーパ１１Ａ，１１Ｂを装着すると、その電子ペーパＩＤに対応付けられて下敷内管理テーブル５４ａに登録されているコンテンツＩＤに対応して、外部接続される電子ペーパ管理サーバ５３の管理テーブル６２に登録されているコンテンツ表示データが取得され、装着された電子ペーパ１１Ａ，１１Ｂに表示される。また、電子ペーパ１１Ａ，１１Ｂ上での手書き入力に伴う手書きデータは、電子下敷１２Ａ，１２Ｂのタブレット１７により検出され、前記表示されたコンテンツ表示データ上に重畳表示され、前記下敷内管理テーブル５４ａにそのコンテンツＩＤと対応付けられて登録される。電子ペーパ管理サーバ５３の表示態様制御情報管理テーブル（サーバ）６２ａには、コンテンツＩＤ（コンテンツ表示データの属性）毎に異なるペーパ単独での表示条件および表示態様からなる表示態様制御情報が登録されており、前記電子ペーパ１１Ａ，１１Ｂにコンテンツ表示データや手書きデータを表示させその表示コンテンツ記憶部２１Ｈａに登録する毎に、該当するコンテンツＩＤに対応した表示態様制御情報が前記管理テーブル６２ａから取得され、同表示コンテンツ記憶部２１Ｈａに登録される。そして、電子ペーパ１１Ａ，１１Ｂが電子下敷１２Ａ，１２Ｂから外されると、この後、前記表示コンテンツ記憶部２１Ｈａに登録されたコンテンツＩＤ対応の表示態様制御情報に従い、当該電子ペーパ１１Ａ，１１Ｂ単独でのコンテンツ表示データおよび手書きデータの表示／非表示が制御される。
【０１８８】
このため、複数の電子ペーパ１１Ａ，１１Ｂ，…の各々単独において、当該電子ペーパ１１Ａ，１１Ｂに登録された各種データそれぞれの表示／非表示や所定時間後非表示等について設定をする必要がなく、電子下敷１２Ａ，１２Ｂに装着して各種データの表示登録を実行するのに伴い、当該電子ペーパ１１Ａ，１１Ｂが電子下敷１２Ａ，１２Ｂから外された後の各種データの属性に応じた表示態様を容易に設定できる。
【０１８９】
なお、前記第２実施形態の電子ペーパ記録装置１０Ａ，１０Ｂでは、電子ペーパ１１Ａ，１１Ｂに登録する表示態様制御情報について、当該電子ペーパ１１Ａ，１１Ｂに表示させて登録するコンテンツ表示データの属性（重要度・機密レベル）に応じて異なる表示条件と表示態様の表示態様制御情報として、電子ペーパ管理サーバ５３の管理テーブル６２ａから取得して登録する構成とした。
【０１９０】
これに対し、次の第３実施形態の電子ペーパ記録装置１０Ａ，１０Ｂにおいて説明するように、電子ペーパ１１Ａ，１１Ｂに登録する表示態様制御情報は、当該電子ペーパ１１Ａ，１１Ｂに対しコンテンツ表示データを表示させて登録した際に装着していた電子下敷１２Ｂの下敷ＩＤ毎に異なる表示条件と表示態様の表示態様制御情報とし、電子ペーパ管理サーバ５３の管理テーブル６２ｂから取得して登録する構成としてもよい。
【０１９１】
（第３実施形態）
図２１は、前記電子ペーパ記録装置１０Ａ，１０Ｂの第３実施形態の電子下敷１２Ｂ（１２Ａ）の情報記憶装置３０にて記憶管理される電子ペーパ管理テーブル（下敷）５４ｂの内容を示す図である。
【０１９２】
この第３実施形態の電子ペーパ管理テーブル（下敷）５４ｂには、前記第１、第２実施形態と同様に、電子下敷１２Ｂ（１２Ａ）に電子ペーパ１１Ａ（１１Ｂ）…が装着された際に、当該各電子ペーパ１１Ａ（１１Ｂ）…の固有情報（電子ペーパＩＤ・表裏コード・サイズ）に対応付けられて、重なり検出情報、手書き位置の補正情報、アクティブ（有効）情報が記憶されると共に、各電子ペーパ１１Ａ（１１Ｂ）の表裏それぞれに表示されている表示情報（表示データのコンテンツＩＤ・手書きデータとその位置）も記憶される。
【０１９３】
なお、この第３実施形態では、電子ペーパ１１Ａ（１１Ｂ）の単独使用に伴う表示態様制御情報は、当該電子ペーパ１１Ａ（１１Ｂ）を装着する電子下敷１２Ｂ（１２Ａ）…毎に定められ、その電子下敷ＩＤに応じて電子ペーパ管理サーバ５３から取得され電子ペーパ１１Ａ（１１Ｂ）へ登録されるため、前記下敷内管理テーブル５４ｂでは管理されない。
【０１９４】
図２２は、前記電子ペーパ管理サーバ５３の電子ペーパ管理部５８ｂにて記憶管理される第３実施形態の電子ペーパ管理テーブル（サーバ）６２ｂの内容を示す図である。
【０１９５】
この第３実施形態の電子ペーパ管理テーブル（サーバ）６２ｂには、ログインされた端末（電子ペーパ記録装置１０Ｂ）からの受信に応じて、当該受信された電子下敷ＩＤ、電子ペーパＩＤおよびその表裏コードとアクティブ（有効）情報、表裏それぞれの表示情報（コンテンツＩＤ、コンテンツ表示データ）が対応付けられて記憶されると共に、電子下敷ＩＤ毎に異なる表示条件および表示態様を定めたペーパ単独使用のための表示態様制御情報が記憶される。
【０１９６】
ここで、電子ペーパ管理テーブル（サーバ）６２ｂに記憶される各種の情報のうち、前記電子ペーパ１１Ａ（１１Ｂ）のアクティブ（有効）情報についてはリアルタイムに更新されて記憶され、表示情報（コンテンツＩＤ、コンテンツ表示データ）は、登録要求の受信に応じて新規に又は更新されて記憶される。
【０１９７】
図２３は、前記電子ペーパ記録装置（両面タイプ）１０Ｂの電子ペーパ１１Ｂにて記憶管理される第３実施形態の表示コンテンツ記憶部２１Ｈｂの内容を示す図である。
【０１９８】
この第３実施形態の表示コンテンツ記憶部２１Ｈｂには、電子下敷１２Ｂ…に装着した際に、装着した電子下敷１２Ｂの下敷ＩＤと本電子ペーパ１１ＢのペーパＩＤとの組合せに応じて表示されたコンテンツ表示データとそのコンテンツＩＤ、当該コンテンツ表示データ上で手書き入力された手書きデータとその位置情報、そして、電子下敷ＩＤに応じて電子ペーパ管理サーバ５３から読み出された単独使用時の表示態様制御情報（表示条件および表示態様）が記憶される。
【０１９９】
具体的には、電子下敷（ＩＤ：あ）１２Ｂに装着した際に表示登録されたコンテンツＩＤ［“３０１”“３０２”“３０３”“４０１”“４０２”］、コンテンツ表示データ［“Ｄ３０１”“Ｄ３０２”“Ｄ３０３”“Ｄ４０１”“Ｄ４０２”］、手書きデータ［“ＨＤＢ１１”“ＨＤＢ１２”“ＨＤＢ１３”“ＨＤＢ２１”］、位置情報［“ＰＢ１１”“ＰＢ１２”“ＰＢ１３”“ＰＢ２１”］に対しては、表示条件（時間；９：００〜１７：００、場所；エリア信号受信範囲内）、表示態様（コンテンツ＋手書きデータ表示）からなる表示態様制御情報が記憶される。
【０２００】
また、電子下敷（ＩＤ：う）１２Ｂに装着した際に表示登録されたコンテンツＩＤ［“８０１”“８０２”“８０３”“９０１”］、コンテンツ表示データ［“Ｄ８０１”“Ｄ８０２”“Ｄ８０３”“Ｄ９０１”］、手書きデータ［“ＨＤＢ３１”“ＨＤＢ４１”］
、位置情報［“ＰＢ３１”“ＰＢ４１”］に対しては、表示条件（時間；１１月１日 or 木曜日、場所；エリア信号受信範囲外）、表示態様（コンテンツ表示）からなる表示態様制御情報が記憶される。
【０２０１】
次に、前記構成の第３実施形態の電子ペーパ記録装置１０Ａ，１０Ｂをクラウドコンピューティングシステムの端末として組み込んだ場合（図７，図２１〜図２３参照）の動作について説明する。
【０２０２】
図２４は、前記電子ペーパ記録装置１０Ａ，１０Ｂを端末として組み込んだクラウドコンピューティングシステムにおける第３実施形態の電子下敷１２Ａ，１２Ｂでの処理（その１）を示すフローチャートである。
【０２０３】
図２５は、前記電子ペーパ記録装置１０Ａ，１０Ｂを端末として組み込んだクラウドコンピューティングシステムにおける第３実施形態の電子下敷１２Ａ，１２Ｂでの処理（その２）を示すフローチャートである。
【０２０４】
図２６は、前記電子ペーパ記録装置１０Ａ，１０Ｂを端末として組み込んだクラウドコンピューティングシステムにおける第３実施形態の電子ペーパ管理サーバ５３での処理を示すフローチャートである。
【０２０５】
なおここでは、下敷ＩＤ“あ”である電子下敷１２Ｂを使用した場合の動作を主体に説明する。
【０２０６】
先ず、図２４、図２５において示す第３実施形態の電子下敷１２Ａ，１２Ｂでの処理は、前記図１２、図１３において示した第１実施形態の電子下敷１２Ａ，１２Ｂでの処理と比較して、電子ペーパ管理サーバ５３への管理データの照会に下敷ＩＤが必要になる点で異なる。
【０２０７】
具体的には、装着中の電子ペーパ“Ｂ”１１Ｂ（コンテンツ表示なし）に情報提供サーバ５３Ｗから新たに取得されたコンテンツ表示データ“Ｄ３０１”を表示させた場合（ステップＳ１〜Ｓ９）、電子ペーパ管理サーバ５３に対しては、下敷ＩＤ“あ”、ペーパＩＤ“Ｂ”、コンテンツＩＤ“３０１”、コンテンツ表示データ“Ｄ３０１”を送信して登録する（ステップＳ１０ｂ）。
【０２０８】
また、新たに装着した電子ペーパ“Ｂ”１１Ｂにコンテンツ表示データ“Ｄ３０３”の表示がある場合（ステップＳ１，Ｓ２（Ｙｅｓ））、電子ペーパ管理サーバ５３に対しては、下敷ＩＤ“あ”、ペーパＩＤ“Ｂ”、コンテンツＩＤ“３０３”、コンテンツ表示データ“Ｄ３０３”を送信して登録する（ステップＳ１４ｂ）。
【０２０９】
また、装着中の電子ペーパ“Ｂ”１１Ｂ（コンテンツ表示なし）のペーパＩＤ“Ｂ”が下敷内管理テーブル５４ｂに登録済みである場合（ステップＳ１〜Ｓ３（Ｙｅｓ））、電子ペーパ管理サーバ５３に対しては、下敷ＩＤ“あ”とペーパＩＤ“Ｂ”を送信することで（ステップＳ１６ｂ）、サーバ内管理テーブル６２ｂに登録されている全てのコンテンツ表示データ“Ｄ３０１”“Ｄ３０２”“Ｄ３０３”を受信して選択的に表示させる（ステップＳ１７，Ｓ１８）。
【０２１０】
また、装着中の電子ペーパ“Ｂ”１１Ｂにコンテンツ表示データ“Ｄ３０３”の表示があって、下敷内管理テーブル５４ｂおよびサーバ内管理サーブル６２ｂに登録済みであり、情報提供サーバ５３Ｗから新たに取得されたコンテンツ表示データ“Ｄ３０４”を表示させた場合（ステップＳ６〜Ｓ８→Ｓ２８）、電子ペーパ管理サーバ５３に対しては、下敷ＩＤ“あ”、ペーパＩＤ“Ｂ”、コンテンツＩＤ“３０４”、コンテンツ表示データ“Ｄ３０４”を送信して更新登録する（ステップＳ２９ｂ）。
【０２１１】
そして、この第３実施形態の電子下敷“あ”１２Ｂの処理では、装着中の電子ペーパ“Ｂ”１１Ｂに各種のコンテンツ表示データ“Ｄ３０１”“Ｄ３０２”“Ｄ３０３”を表示させて登録するのに伴い、下敷ＩＤ“あ”が電子ペーパ管理サーバ５３へ送信される（ステップＳ３０ｂ）。
【０２１２】
電子ペーパ管理サーバ５３において、電子下敷“あ”１２Ｂから送信された下敷ＩＤ“あ”のみが受信されたと判断されると（ステップＭ１，Ｍ１ｂ（Ｙｅｓ））、当該受信された下敷ＩＤ“あ”に対応付けられて電子ペーパ管理テーブル（サーバ）６２ｂに登録されている下敷“あ”に応じた表示態様制御情報［表示条件（時間；９：００〜１７：００、場所；エリア信号受信範囲内）、表示態様（コンテンツ＋手書きデータ表示）］が読み出され（ステップＭ９ｂ）、同電子下敷１２Ｂへ送信される（ステップＭ１０ｂ）。
【０２１３】
電子下敷“あ”１２Ｂにおいて、前記電子ペーパ管理サーバ５３から送信された同下敷“あ”に応じた表示態様制御情報が受信されると（ステップＳ３１ｂ）、この表示態様制御情報は、装着中の電子ペーパ（ＩＤ：Ｂ）１１Ｂへ送信されて登録される（ステップＳ３２ｂ）。
【０２１４】
なお、この図２６において示す第３実施形態の電子ペーパ管理サーバ５３での処理は、前記図１４において示した第１実施形態の電子ペーパ管理サーバ５３での処理と比較して、電子下敷１２Ｂから本管理サーバ５３への管理データの照会に下敷ＩＤが必要になる点で異なる。
【０２１５】
すなわち、前述したステップＭ１ｂ，Ｍ９ｂ，Ｍ１０ｂの処理以外について説明すると、先ず、前記電子下敷１２Ｂから送信された下敷ＩＤ、電子ペーパＩＤ、電子ペーパ１１Ｂに表示中のコンテンツＩＤとその表示データが受信された場合に（ステップＭ１（Ｙｅｓ））、その受信された下敷ＩＤ、電子ペーパＩＤを対応付けた管理データが登録されていないと判断されると（ステップＭ２ｂ（Ｎｏ））、当該受信された下敷ＩＤ、電子ペーパＩＤ、コンテンツＩＤとその表示データが対応付けられて電子ペーパ管理テーブル（サーバ）６２ｂに新規登録される（ステップＭ３ｂ）。
【０２１６】
そして、電子ペーパ管理テーブル（サーバ）６２ｂに新たな下敷ＩＤが登録されると、当該下敷ＩＤに対応する表示態様制御情報（表示条件、表示態様）が生成されて登録される（ステップＭ３ｃ）。
【０２１７】
また、電子ペーパ管理サーバ５３において、前記電子下敷１２Ｂから送信された下敷ＩＤとペーパＩＤが受信された場合に（ステップＭ１（Ｙｅｓ））、当該受信された下敷ＩＤとペーパＩＤが、電子ペーパ管理テーブル（サーバ）６２ｂに登録済みであると判断されると（ステップＭ２ｂ（Ｙｅｓ））、前記受信データの中にコンテンツ表示データが含まれていないことで表示データの登録要求ではなくコンテンツ要求であると判断される（ステップＭ４（Ｙｅｓ））。
【０２１８】
すると、前記電子ペーパ管理テーブル（サーバ）６２ｂにおいて、前記電子下敷１２Ｂから受信された下敷ＩＤとペーパＩＤとの組合せに対応付けられて登録されている全てのコンテンツＩＤとコンテンツ表示データが読み出され（ステップＭ５ｂ）、前記電子下敷１２Ｂへ送信される（ステップＭ６）。
【０２１９】
また、電子下敷１２Ｂから受信された下敷ＩＤ、ペーパＩＤを対応付けた管理データが電子ペーパ管理テーブル６２ｂに登録されていると判断された場合であって（ステップＭ２ｂ（Ｙｅｓ））、当該下敷ＩＤとペーパＩＤとの組合せに対応付けられて既に登録されているコンテンツＩＤと今回受信されたコンテンツＩＤとが異なる場合はコンテンツ表示データの更新と判断され（ステップＭ７（Ｙｅｓ））、同下敷ＩＤとペーパＩＤに対応付けられて登録済みのコンテンツＩＤとその表示データが、今回受信されたコンテンツＩＤとその表示データに更新されて登録される（ステップＭ８ｂ）。
【０２２０】
そして、この第３実施形態の電子ペーパ１１Ａ，１１Ｂでの処理ステップは、前記図１５における第１実施形態での処理ステップ（Ｐ１〜Ｐ１９）と同一であるが、電子下敷１２Ａ，１２Ｂからの制御により当該電子ペーパ１１Ａ，１１Ｂにコンテンツ表示データが表示登録されるのに伴い、その電子下敷１２Ａ，１２Ｂの下敷ＩＤに応じた表示態様制御情報が取得されて登録される点で異なる。
【０２２１】
すなわち、電子下敷１２Ｂから当該電子下敷１２Ｂに装着中の電子ペーパ１１Ｂに対して、コンテンツ表示データや手書きデータが受信され、新規表示あるいは書き替えられて表示され、表示コンテンツ記憶部２１Ｈｂに登録される毎に、その電子下敷１２Ｂの下敷ＩＤに応じて電子ペーパ管理サーバ５３から取得された表示態様制御情報（表示条件（時間／場所）、表示態様）が受信され、前記表示コンテンツ記憶部２１Ｈｂに登録される（ステップＰ１〜Ｐ１５）。
【０２２２】
この後、例えば前記電子ペーパ“Ｂ”１１Ｂにおいて、電磁誘導電源部２２や通信装置２３の接続が断たれることで、電子下敷１２Ｂから外れたことが検出されると（ステップＰ１６（Ｙｅｓ））、前記下敷装着状態での一連の処理（ステップＰ１〜Ｐ１６）は一旦終了され先頭の処理（ステップＰ１）に戻る。
【０２２３】
そして、電子下敷１２Ｂへの装着が検出されず、外れている状態であると判断されると（ステップＰ１（Ｎｏ））、表示コンテンツ記憶部２１Ｈｂに登録済みのコンテンツ表示データがあるか否かが判断される（ステップＰ１７）。
【０２２４】
ここで、表示コンテンツ記憶部２１Ｈｂに登録済みのコンテンツ表示データがあると判断されると（ステップＰ１７（Ｙｅｓ））、計時部６５の計時データに基づき年月日曜日時刻が検出されると共に、受信部６５におけるエリア信号の受信状態に基づき本電子ペーパ“Ｂ”１１Ｂが特定の場所内に存在するか否かが検出される（ステップＰ１８）。
【０２２５】
すると、電子下敷“あ”１２Ｂから受信されて表示コンテンツ記憶部２１Ｈｂに登録されている表面“１”側のコンテンツＩＤ“３０１”〜“３０３”および裏面“２”側のコンテンツＩＤ“４０１”“４０２”の表示態様制御情報［表示条件（時間；９：００〜１７：００、場所；エリア信号受信範囲内）、表示態様（コンテンツ＋手書きデータ表示）］と、電子下敷“う”１２Ｂから受信されて表示コンテンツ記憶部２１Ｈｂに登録されている表面“１”側のコンテンツＩＤ“８０１”〜“８０３”および裏面“２”側のコンテンツＩＤ“９０１”の表示態様制御情報［表示条件（時間；１１月１日 or 木曜日、場所；エリア信号受信範囲外）、表示態様（コンテンツ表示）］とに応じて、同表示コンテンツ記憶部２１Ｈａに登録されているコンテンツ表示データ“Ｄ３０１”〜“Ｄ３０３”“Ｄ４０１”“Ｄ４０２”および各対応する手書きデータ“ＨＤＢ１１”〜“ＨＤＢ１３”“ＨＤＢ２１”とコンテンツ表示データ“Ｄ８０１”〜“Ｄ８０３”“Ｄ９０１”との表示／非表示が制御される（ステップＰ１９）。
【０２２６】
すなわち、前記電子ペーパ“Ｂ”１１Ｂの場合、具体的には、前記電子下敷１２Ｂから外れたと判断された後、９：００〜１７：００の範囲内であって、且つ、特定の場所内に存在することが検出されている状態では、表示コンテンツ記憶部２１Ｈｂの表面“１”側においてデフォルト設定された先頭のコンテンツ表示データ“Ｄ３０１”およびその手書きデータ“ＨＤＢ１１”が不揮発系表示装置１７Ｒに表示され、裏面“２”側においてデフォルト設定された先頭のコンテンツ表示データ“Ｄ４０１”およびその手書きデータ“ＨＤＢ２１”が不揮発性表示装置１７Ｌに表示される。
【０２２７】
また同様に、１１月１日又は木曜日であって、且つ、特定の場所外に存在することが検出されている状態では、表示コンテンツ記憶部２１Ｈｂの表面“１”側においてデフォルト設定された先頭のコンテンツ表示データ“Ｄ８０１”が不揮発系表示装置１７Ｒに表示され、裏面“２”側のコンテンツ表示データ“Ｄ９０１”が不揮発性表示装置１７Ｌに表示される。
【０２２８】
なお、前記表示コンテンツ記憶部２１Ｈｂに各電子下敷１２Ｂ“あ”、１２Ｂ“う”に応じた表示態様制御情報が付加されて登録されている表面“１”側の各コンテンツ表示データおよびそのコンテンツＩＤに対応する手書きデータの表示の切り替え、また、裏面“２”側の各コンテンツ表示データおよびそのコンテンツＩＤに対応する手書きデータの表示の切り替えは、各対応する表示態様制御情報に応じた自動切り替え、あるいは入力装置２４Ｒからのユーザ操作に応じた切り替えとしてもよい。
【０２２９】
したがって、前記構成の第３実施形態の電子ペーパ記録装置１０Ａ，１０Ｂによれば、電子下敷１２Ａ，１２Ｂに電子ペーパ１１Ａ，１１Ｂを装着すると、その電子ペーパＩＤに対応付けられて下敷内管理テーブル５４ｂに登録されているコンテンツＩＤと当該電子下敷１２Ａ，１２Ｂの下敷ＩＤとの組合せに対応して、外部接続される電子ペーパ管理サーバ５３の管理テーブル６２ｂに登録されているコンテンツ表示データが取得され、装着された電子ペーパ１１Ａ，１１Ｂに表示される。また、電子ペーパ１１Ａ，１１Ｂ上での手書き入力に伴う手書きデータは、電子下敷１２Ａ，１２Ｂのタブレット１７により検出され、前記表示されたコンテンツ表示データ上に重畳表示され、前記下敷内管理テーブル５４ｂにそのコンテンツＩＤと対応付けられて登録される。電子ペーパ管理テーブル（サーバ）６２ｂには、電子下敷ＩＤ毎に異なるペーパ単独での表示条件および表示態様からなる表示態様制御情報が登録されており、前記電子ペーパ１１Ａ，１１Ｂにコンテンツ表示データや手書きデータを表示させその表示コンテンツ記憶部２１Ｈｂに登録する毎に、この電子下敷ＩＤに対応した表示態様制御情報が前記サーバ内管理テーブル６２ｂから取得され、同表示コンテンツ記憶部２１Ｈｂに登録される。そして、電子ペーパ１１Ａ，１１Ｂが電子下敷１２Ａ，１２Ｂから外されると、この後、前記表示コンテンツ記憶部２１Ｈｂに登録された下敷ＩＤ対応の表示態様制御情報に従い、当該電子ペーパ１１Ａ，１１Ｂ単独でのコンテンツ表示データおよび手書きデータの表示／非表示が制御される。
【０２３０】
このため、複数の電子ペーパ１１Ａ，１１Ｂ，…の各々単独において、当該電子ペーパ１１Ａ，１１Ｂに登録された各種データの表示／非表示や所定時間後非表示等について設定をする必要がなく、電子下敷１２Ａ，１２Ｂに装着して各種データの表示登録を実行するのに伴い、当該電子ペーパ１１Ａ，１１Ｂが電子下敷１２Ａ，１２Ｂから外された後の同電子下敷１２Ａ，１２Ｂに応じたデータ表示態様を容易に設定できる。
【０２３１】
なお、前記各実施形態において、電子ペーパ１１Ａ，１１Ｂを電子下敷１２Ａ，１２Ｂから取り外した後の不揮発性表示装置１７Ｒ，１７Ｌに対する表示データの表示動作を設定するための表示態様制御情報は、表示条件および表示態様からなり、その表示条件は、時間と場所によって設定されるものとして説明した。これに対し、その表示条件は、前記時間と場所に限らず、直前に装着されていた電子下敷１２Ａ，１２Ｂの下敷ＩＤが何であるか、あるいは電子ペーパ１１Ａ，１１ＢのペーパＩＤそれ自体が何であるか、あるいは電子ペーパ１１Ａ，１１Ｂにおける蓄電電圧の電圧レベルが閾値以上であるか、あるいは電子ペーパ１１Ａ，１１Ｂに記憶された表示データの属性（機密度）が何であるか、あるいは外部サーバへのアクセスが禁止状態となっているか、あるいはそれらの組み合わせ等によって設定する構成としてもよい。
【０２３２】
また、前記各実施形態において、前記表示態様制御情報の表示態様は、ユーザ操作に応じて任意の態様に設定できる構成としてもよい。
【０２３３】
さらに、前記各実施形態において、電子ペーパ１１Ａ，１１Ｂの場所は、例えば社内や校内におけるエリア信号が受信可能な範囲内であるか否かにより特定する構成としたが、直前に装着されていた電子下敷１２Ａ，１２Ｂからその設置場所の情報（社内、校内／社外、校外等）を取得して特定する構成としてもよい。
【０２３４】
なお、前記各実施形態において記載した電子データ処理装置による各処理の手法、すなわち、図１２、図１３のフローチャートに示す第１実施形態の電子下敷処理、図１４のフローチャートに示す第１実施形態の電子ペーパ管理処理、図１５のフローチャートに示す電子ペーパ処理、図１９のフローチャートに示す第２実施形態の電子下敷処理、図２０のフローチャートに示す第２実施形態の電子ペーパ管理処理、図２４、図２５のフローチャートに示す第３実施形態の電子下敷処理、図２６に示す第３実施形態の電子ペーパ管理処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、電子表示媒体を着脱自在に接続可能な電子機器のコンピュータ（制御装置）は、この外部記録装置の媒体に記録されたプログラムを記憶装置に読み込み、この読み込んだプログラムによって動作が制御されることにより、前記各実施形態において説明した電子処理装置（電子下敷）から電子表示媒体（電子ペーパ）への当該電子表示媒体単独使用時のための表示態様制御情報の登録機能を実現し、前述した手法による同様の処理を実行することができる。
【０２３５】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、電子表示媒体を着脱自在に接続可能な電子機器に取り込んで記憶装置に記憶させ、前述した電子処理装置（電子下敷）から電子表示媒体（電子ペーパ）への当該電子表示媒体単独使用時のための表示態様制御情報の登録機能を実現することもできる。
【０２３６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０２３７】
以下に、本願出願の当初の特許請求の範囲に記載された発明を付記する。
【０２３８】
［１］
データの表示機能を有する電子表示媒体が着脱自在に接続される電子データ処理装置であって、
電子表示媒体が接続されたことを検出する接続検出手段と、
この接続検出手段により検出された電子表示媒体に対して、その電子表示媒体が当該電子データ処理装置と非接続になった後のデータの表示態様を制御するための表示態様制御情報を記憶させる制御情報記憶制御手段と、
を備えたことを特徴とする電子データ処理装置。
【０２３９】
［２］
前記表示態様制御情報は、データの表示条件を設定する表示条件情報と、その表示条件が成立した上でのデータの表示態様を設定する表示態様情報とを含む、
ことを特徴とする［１］に記載の電子データ処理装置。
【０２４０】
［３］
前記表示態様情報は、前記電子表示媒体に表示されるデータを非表示にするための態様情報である、
ことを特徴とする［２］に記載の電子データ処理装置。
【０２４１】
［４］
前記表示態様情報は、前記電子表示媒体にデータを表示させるための態様情報である、
ことを特徴とする［２］または［３］に記載の電子データ処理装置。
【０２４２】
［５］
前記表示条件情報は、時間の条件を設定する時間情報と場所の条件を設定する場所情報との少なくとも一方を含む、
ことを特徴とする［２］ないし［４］の何れかに記載の電子データ処理装置。
【０２４３】
［６］
前記接続検出手段により検出された電子表示媒体の識別情報を取得する媒体識別情報取得手段を備え、
前記制御情報記憶制御手段は、
前記媒体識別情報取得手段により取得された前記電子表示媒体の識別情報に対応付けられて外部の情報記憶装置に記憶されている表示態様制御情報を取得する制御情報取得手段を有し、この制御情報取得手段により取得された表示態様制御情報を、前記接続検出手段により検出された電子表示媒体に対して記憶させる、
ことを特徴とする［１］ないし［５］の何れかに記載の電子データ処理装置。
【０２４４】
［７］
前記媒体識別情報取得手段により取得された前記電子表示媒体の識別情報に対応付けられて外部の情報記憶装置に記憶されているデータを取得するデータ取得手段と、
このデータ取得手段により取得されたデータを、前記接続検出手段により検出された電子表示媒体に対して、表示の対象となるデータとして記憶させる表示データ記憶制御手段と、
を備えたことを特徴とする［１］ないし［６］の何れかに記載の電子データ処理装置。
【０２４５】
［８］
前記電子表示媒体が表示の対象とするデータの属性を取得する表示データ属性取得手段を備え、
前記制御情報記憶制御手段は、
前記表示データ属性取得手段により取得されたデータの属性に対応付けられて外部の情報記憶装置に記憶されている表示態様制御情報を取得する制御情報取得手段を有し、この制御情報取得手段により取得された表示態様制御情報を、前記接続検出手段により検出された電子表示媒体に対して記憶させる、
ことを特徴とする［１］ないし［５］の何れかに記載の電子データ処理装置。
【０２４６】
［９］
前記電子表示媒体が表示の対象とするデータは、その電子表示媒体に予め表示されたデータである、
ことを特徴とする［８］に記載の電子データ処理装置。
【０２４７】
［１０］
前記接続検出手段により検出された電子表示媒体に対して、表示の対象となるデータを記憶させる表示データ記憶制御手段、
を備えたことを特徴とする［８］または［９］に記載の電子データ処理装置。
【０２４８】
［１１］
前記電子表示媒体が表示の対象とするデータの識別情報を取得するデータ識別情報取得手段を備え、
前記表示データ属性取得手段は、前記データ識別情報取得手段により取得されたデータの識別情報に対応付けられて外部の情報記憶装置に記憶されているそのデータの属性を取得する、
ことを特徴とする［８］ないし［１０］の何れかに記載の電子データ処理装置。
【０２４９】
［１２］
前記外部の情報記憶装置は当該電子データ処理装置と通信可能なサーバ装置であって、
前記制御情報取得手段は、前記サーバ装置に記憶されている表示態様制御情報を取得する、
ことを特徴とする［６］または［８］に記載の電子データ処理装置。
【０２５０】
［１３］
当該電子データ処理装置の識別情報を同電子データ処理装置と通信可能なサーバ装置に送信する装置識別情報送信手段を備え、
前記制御情報記憶制御手段は、
前記装置識別情報送信手段により送信された当該電子データ処理装置の識別情報に対応付けられて前記サーバ装置に記憶されている表示態様制御情報を同サーバ装置から受信して取得する制御情報取得手段を有し、この制御情報取得手段により取得された表示態様制御情報を、前記接続検出手段により検出された電子表示媒体に対して記憶させる、
ことを特徴とする［１］ないし［５］の何れかに記載の電子データ処理装置。
【０２５１】
［１４］
前記装置識別情報送信手段により送信された当該電子データ処理装置の識別情報に対応付けられて前記サーバ装置に記憶されているデータを同サーバ装置から受信して取得するデータ取得手段と、
このデータ取得手段により取得されたデータを、前記接続検出手段により検出された電子表示媒体に対して、表示の対象となるデータとして記憶させる表示データ記憶制御手段と、
を備えたことを特徴とする［１３］に記載の電子データ処理装置。
【０２５２】
［１５］
前記電子表示媒体は電子ペーパであって、
前記接続検出手段により検出されている電子ペーパにデータが表示されている状態で、その電子ペーパ上でのユーザ操作位置を検知する操作位置検知手段と、
この操作位置検知手段により検知されたユーザ操作位置に応じたデータを追記データとして前記電子ペーパに表示されているデータ上に重畳して表示させる追記重畳表示制御手段と、
を備えたことを特徴とする［１］ないし［１４］の何れかに記載の電子データ処理装置。
【０２５３】
［１６］
データの表示機能を有する電子表示媒体が着脱自在に接続される電子機器のコンピュータを制御するためのプログラムであって、
前記コンピュータを、
電子表示媒体が接続されたことを検出する接続検出手段、
この接続検出手段により検出された電子表示媒体に対して、その電子表示媒体が当該電子機器と非接続になった後のデータの表示態様を制御するための表示態様制御情報を記憶させる制御情報記憶制御手段、
として機能させるためのプログラム。
【符号の説明】
【０２５４】
１０Ａ…電子ペーパ記録装置（片面タイプ）
１０Ｂ…電子ペーパ記録装置（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
１３  …片面バインダ部
１４Ｒ，１４Ｌ…タブレット
１６  …見開きバインダ部
１７Ｒ，１７Ｌ…不揮発性表示装置
２０  …ペーパＩＤ記憶部
２１Ｈ、２１Ｈａ、２１Ｈｂ…表示コンテンツ記憶部
２３  …ペーパ通信装置
２９  …下敷ＩＤ記憶部
５３  …電子ペーパ管理サーバ
５３Ｗ…情報提供サーバ
５４、５４ａ、５４ｂ…電子ペーパ管理テーブル（下敷）
６２、６２ｂ…電子ペーパ管理テーブル（サーバ）
６２ａ…表示態様制御情報管理テーブル（サーバ）
６５  …ペーパ計時部
６６  …ペーパ受信部
【図１】
0006358321.tif 000002
【図２】
0006358321.tif 000003
【図３】
0006358321.tif 000004
【図４】
0006358321.tif 000005
【図５】
0006358321.tif 000006
【図６】
0006358321.tif 000007
【図７】
0006358321.tif 000008
【図８】
0006358321.tif 000009
【図９】
0006358321.tif 000010
【図１０】
0006358321.tif 000011
【図１１】
0006358321.tif 000012
【図１２】
0006358321.tif 000013
【図１３】
0006358321.tif 000014
【図１４】
0006358321.tif 000015
【図１５】
0006358321.tif 000016
【図１６】
0006358321.tif 000017
【図１７】
0006358321.tif 000018
【図１８】
0006358321.tif 000019
【図１９】
0006358321.tif 000020
【図２０】
0006358321.tif 000021
【図２１】
0006358321.tif 000022
【図２２】
0006358321.tif 000023
【図２３】
0006358321.tif 000024
【図２４】
0006358321.tif 000025
【図２５】
0006358321.tif 000026
【図２６】
0006358321.tif 000027